(57)【要約】【課題】反射スクリーンと映像源との相対的な位置の自由度が高く、かつ、良好な映像を表示できる反射スクリーン、映像表示装置を提供する。【解決手段】反射スクリーン１０は、映像源ＬＳから投射された映像光の一部を反射して映像を表示する反射スクリーンであって、光透過性を有し、単位光学形状１２１が背面側の面に複数配列された第１光学形状層１２と、単位光学形状１２１の少なくとも一部に形成され、入射光の一部を反射し、入射光のその他の少なくとも一部を透過させる反射層１３とを備え、単位光学形状１２１の配列方向における光の拡散作用は、配列方向に直交する方向における光の拡散作用よりも大きい。【選択図】図１
2020173416.tif 000002
【特許請求の範囲】
【請求項１】
映像源から投射された映像光の一部を反射して映像を表示する反射スクリーンであって、
光透過性を有し、単位光学形状が背面側の面に複数配列された光学形状層と、
前記単位光学形状の少なくとも一部に形成され、入射光の一部を反射し、入射光のその他の少なくとも一部を透過させる反射層と、
を備え、
前記単位光学形状の配列方向における光の拡散作用は、前記配列方向に直交する方向における光の拡散作用よりも大きい反射スクリーン。
【請求項２】
請求項１に記載の反射スクリーンにおいて、
画面中央で、正面が、最大輝度となる条件で、映像光を投影した状況での角度輝度分布を測定した場合に、前記単位光学形状の配列方向における半値角は、配列方向に直交する方向における半値角よりも、５％以上大きいこと、
を特徴とする反射スクリーン。
【請求項３】
請求項１又は請求項２に記載の反射スクリーンにおいて、
前記光学形状層は、
映像光が入射する第１の面と、
前記第１の面に対向する第２の面と、
前記第１の面と前記第２の面とを接続する曲面で構成された接続面と、
を有すること、
を特徴とする反射スクリーン。
【請求項４】
請求項１又は請求項２に記載の反射スクリーンにおいて、
前記単位光学形状は、配列方向で切断した断面形状において、映像源側とは反対側に最も突出した頂点部と、映像源側に最も凹んだ谷底部とを有し、
前記光学形状層は、前記頂点部及び前記谷底部を境にして、
幅が広い側の第１の面と、
前記第１の面に対向する側の第２の面と、
を有し、
少なくとも前記第１の面は、配列方向で切断した断面形状が湾曲していること、
を特長とする反射スクリーン。
【請求項５】
請求項１から請求項４までのいずれかに記載の反射スクリーンにおいて、
前記反射層は、少なくとも映像源側の面が粗面であり、入射光の一部を拡散反射すること、
を特徴とする反射スクリーン。
【請求項６】
請求項５に記載の反射スクリーンにおいて、
前記単位光学形状は、その表面に微細な凹凸形状を有し、
前記凹凸形状は、前記単位光学形状の配列方向の光拡散効果が前記単位光学形状の配列方向に直交する方向の光拡散効果よりも高くなる形状であって、
前記反射層の少なくとも前記単位光学形状側の面は、前記凹凸形状に対応した凹凸形状を有していること、
を特徴とする反射スクリーン。
【請求項７】
請求項５に記載の反射スクリーンにおいて、
前記単位光学形状は、その表面に微細かつ不規則な凹凸形状を有し、
前記反射層の少なくとも前記単位光学形状側の面は、前記凹凸形状に対応した凹凸形状を有していること、
を特徴とする反射スクリーン。
【請求項８】
請求項１から請求項７までのいずれか１項に記載の反射スクリーンにおいて、
前記単位光学形状の配列方向において、該反射スクリーンの反射光のピーク輝度となる出射角度から輝度が１／２となる出射角度までの角度変化量を＋αＶ１，−αＶ２とし、その絶対値の平均値をαＶとするとき、５°≦αＶ≦４５°であること、
を特徴とする反射スクリーン。
【請求項９】
請求項１から請求項８までのいずれか１項に記載の反射スクリーンにおいて、
前記単位光学形状の配列方向において、該反射スクリーンの反射光のピーク輝度となる出射角度から輝度が１／２となる出射角度までの角度変化量を＋αＶ１，−αＶ２とし、その絶対値の平均値をαＶとし、前記第１の面がスクリーン面に平行な面となす角度をθ１とするとき、該反射スクリーンの少なくとも一部の領域において、αＶ＜ａｒｃｓｉｎ（ｎ×ｓｉｎ（２×（θ１）））という関係を満たすこと、
を特徴とする反射スクリーン。
【請求項１０】
請求項１から請求項９の発明までのいずれかに記載の反射スクリーンにおいて、
当該反射スクリーンの厚み方向において、前記反射層よりも背面側に設けられた光吸収層を備えること、
を特徴とする反射スクリーン。
【請求項１１】
請求項１から請求項１０までのいずれかに記載の反射スクリーンにおいて、
当該反射スクリーンの厚み方向において、前記反射層よりも背面側に設けられ、透過率を変化させる調光層を備えること、
を特徴とする反射スクリーン。
【請求項１２】
請求項１１に記載の反射スクリーンにおいて、
前記調光層は、
透明な第１電極と、
前記第１電極と対向配置された透明な第２電極と、
前記第１電極と前記第２電極との間に配置され、前記第１電極と前記第２電極との間の電位差に応じて透過率を変化させる調光材料と、
を有すること、
を特徴とする反射スクリーン。
【請求項１３】
請求項１２に記載の反射スクリーンにおいて、
前記調光材料は、二色性色素を有する液晶であること、
を特徴とする反射スクリーン。
【請求項１４】
請求項１１に記載の反射スクリーンにおいて、
前記調光層は、感光物質を含むこと、
を特徴とする反射スクリーン。
【請求項１５】
請求項１４に記載の反射スクリーンにおいて、
前記感光物質は、紫外線を励起光として受光することにより透過率が変化し、
励起光を前記感光物質へ導光する導光層を備えること、
を特徴とする反射スクリーン。
【請求項１６】
請求項１５に記載の反射スクリーンにおいて、
前記調光層は、前記感光物質及び前記導光層を両側から挟む位置に配置され前記励起光の少なくとも一部を遮蔽する遮蔽層を備えること、
を特徴とする反射スクリーン。
【請求項１７】
請求項１から請求項１６までのいずれかに記載の反射スクリーンにおいて、
前記反射層は、前記単位光学形状の前記映像光が入射する位置に複数の島状に形成されていること、
を特徴とする反射スクリーン。
【請求項１８】
請求項１から請求項１７までのいずれかに記載の反射スクリーンにおいて、
前記反射層は、誘電体膜を少なくとも１層含むこと、
を特徴とする反射スクリーン。
【請求項１９】
請求項１から請求項１８までのいずれかに記載の反射スクリーンにおいて、
前記光学形状層は、前記単位光学形状が同心円状に複数配列されたサーキュラーフレネルレンズ形状を有すること、
を特徴とする反射スクリーン。
【請求項２０】
請求項１９に記載の反射スクリーンにおいて、
前記サーキュラーフレネルレンズ形状の中心は、当該反射スクリーンの外に設けられていること、
を特徴とする反射スクリーン。
【請求項２１】
請求項１から請求項２０までのいずれか１項に記載の反射スクリーンにおいて、
当該反射スクリーンの厚み方向において前記反射層よりも背面側に、光透過性を有し、前記単位光学形状の間の谷部を充填するように積層された第２光学形状層を備えること、
を特徴とする反射スクリーン。
【請求項２２】
請求項１から請求項２１までのいずれかに記載の反射スクリーンにおいて、
光を拡散する機能を有する拡散粒子を含有する光拡散層を備えていないこと、
を特徴とする反射スクリーン。
【請求項２３】
請求項１から請求項２２までのいずれか１項に記載の反射スクリーンにおいて、
前記反射層は、当該反射スクリーンの厚み方向において所定の間隔を空けて複数層設けられていること、
を特徴とする反射スクリーン。
【請求項２４】
請求項１から請求項２３までのいずれかに記載の反射スクリーンと、
前記反射スクリーンに対して映像光を投射する映像源と、
を備える映像表示装置。
【発明の詳細な説明】
【技術分野】
【０００１】
本発明は、反射スクリーン、及び、これを備える映像表示装置に関するものである。
【背景技術】
【０００２】
従来、映像源から投射された映像光を反射して表示する反射スクリーンとして、様々なものが開発されている（例えば、特許文献１参照）。なかでも、窓ガラス等のように透光性の高い部材に貼り付ける等し、映像光を投射して映像が良好に視認できる反射スクリーンとして使用でき、映像光を投射しない不使用時等にはスクリーンの向こう側の景色が透けて見える半透過型の反射スクリーンは、意匠性の高さ等から需要が高まっている。
【先行技術文献】
【特許文献】
【０００３】
【特許文献１】特開平９−１１４００３号公報
【発明の概要】
【発明が解決しようとする課題】
【０００４】
このような半透過型の反射スクリーンには、フレネルレンズ形状等を形成して映像光を所定の位置で見やすくするように偏向（集光）させるものがある。しかし、映像光の偏向効果を高めるためには、反射スクリーンと映像源との相対的な位置を厳密に設定する必要があり、反射スクリーン及び映像源の設置作業の難易度が高い場合があった。
【０００５】
本発明の課題は、反射スクリーンと映像源との相対的な位置の自由度が高く、かつ、良好な映像を表示できる反射スクリーン、映像表示装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、映像源（ＬＳ）から投射された映像光の一部を反射して映像を表示する反射スクリーン（１０）であって、光透過性を有し、単位光学形状（１２１）が背面側の面に複数配列された光学形状層（１２）と、前記単位光学形状（１２１）の少なくとも一部に形成され、入射光の一部を反射し、入射光のその他の少なくとも一部を透過させる反射層（１３）と、を備え、前記単位光学形状（１２１）の配列方向における光の拡散作用は、前記配列方向に直交する方向における光の拡散作用よりも大きい反射スクリーン（１０）である。
【０００８】
第２の発明は、第１の発明に記載の反射スクリーン（１０）において、画面中央で、正面が、最大輝度となる条件で、映像光を投影した状況での角度輝度分布を測定した場合に、前記単位光学形状（１２１）の配列方向における半値角は、配列方向に直交する方向における半値角よりも、５％以上大きいこと、を特徴とする反射スクリーン（１０）である。
【０００９】
第３の発明は、第１の発明又は第２の発明に記載の反射スクリーン（１０）において、前記光学形状層（１２）は、映像光が入射する第１の面（１２１ａ）と、前記第１の面（１２１ａ）に対向する第２の面（１２１ｂ）と、前記第１の面（１２１ａ）と前記第２の面（１２１ｂ）とを接続する曲面で構成された接続面（１２１ｃ）と、を有すること、を特徴とする反射スクリーン（１０）である。
【００１０】
第４の発明は、第１の発明又は第２の発明に記載の反射スクリーン（１０）において、前記単位光学形状（１２１）は、配列方向で切断した断面形状において、映像源側とは反対側に最も突出した頂点部（Ｔ）と、映像源側に最も凹んだ谷底部（Ｖ）とを有し、前記光学形状層（１２）は、前記頂点部（Ｔ）及び前記谷底部（Ｖ）を境にして幅が広い側の第１の面（１２１ａ）と、前記第１の面（１２１ａ）に対向する側の第２の面（１２１ｂ）と、を有し、少なくとも前記第１の面（１２１ａ）は、配列方向で切断した断面形状が湾曲していること、を特長とする反射スクリーン（１０）である。
【００１１】
第５の発明は、第１の発明から第４の発明までのいずれかに記載の反射スクリーン（１０）において、前記反射層は、少なくとも映像源側の面が粗面であり、入射光の一部を拡散反射すること、を特徴とする反射スクリーン（１０）。
【００１２】
第６の発明は、第５の発明に記載の反射スクリーン（１０）において、前記単位光学形状（１２１）は、その表面に微細な凹凸形状を有し、前記凹凸形状は、前記単位光学形状（１２１）の配列方向の光拡散効果が前記単位光学形状（１２１）の配列方向に直交する方向の光拡散効果よりも高くなる形状であって、前記反射層の少なくとも前記単位光学形状（１２１）側の面は、前記凹凸形状に対応した凹凸形状を有していること、を特徴とする反射スクリーン（１０）。
【００１３】
第７の発明は、第５の発明に記載の反射スクリーン（１０）において、前記単位光学形状（１２１）は、その表面に微細かつ不規則な凹凸形状を有し、前記反射層の少なくとも前記単位光学形状（１２１）側の面は、前記凹凸形状に対応した凹凸形状を有していること、を特徴とする反射スクリーン（１０）。
【００１４】
第８の発明は、第１の発明から第７の発明までのいずれか１項に記載の反射スクリーン（１０）において、前記単位光学形状（１２１）の配列方向において、該反射スクリーン（１０）の反射光のピーク輝度となる出射角度から輝度が１／２となる出射角度までの角度変化量を＋αＶ１，−αＶ２とし、その絶対値の平均値をαＶとするとき、５°≦αＶ≦４５°であること、を特徴とする反射スクリーン（１０）である。
【００１５】
第９の発明は、第１の発明から第８の発明までのいずれか１項に記載の反射スクリーン（１０）において、前記単位光学形状（１２１）の配列方向において、該反射スクリーン（１０）の反射光のピーク輝度となる出射角度から輝度が１／２となる出射角度までの角度変化量を＋αＶ１，−αＶ２とし、その絶対値の平均値をαＶとし、前記第１の面がスクリーン面に平行な面となす角度をθ１とするとき、該反射スクリーン（１０）の少なくとも一部の領域において、αＶ＜ａｒｃｓｉｎ（ｎ×ｓｉｎ（２×（θ１）））という関係を満たすこと、を特徴とする反射スクリーン（１０）である。
【００１６】
第１０の発明は、第１の発明から第９の発明までのいずれかに記載の反射スクリーン（１０）において、当該反射スクリーン（１０）の厚み方向において、前記反射層（１３）よりも背面側に設けられた光吸収層（６０）を備えること、を特徴とする反射スクリーン（１０）である。
【００１７】
第１１の発明は、第１の発明から第１０の発明までのいずれ２１かに記載の反射スクリーン（１０）において、当該反射スクリーン（１０）の厚み方向において、前記反射層（１３）よりも背面側に設けられ、透過率を変化させる調光層（２０、４０、２１０）を備えること、を特徴とする反射スクリーン（１０）である。
【００１８】
第１２の発明は、第１１の発明に記載の反射スクリーン（１０）において、前記調光層（２０）は、透明な第１電極（２２Ａ）と、前記第１電極（２２Ａ）と対向配置された透明な第２電極（２２Ｂ）と、前記第１電極（２２Ａ）と前記第２電極（２２Ｂ）との間に配置され、前記第１電極（２２Ａ）と前記第２電極（２２Ｂ）との間の電位差に応じて透過率を変化させる調光材料（２６、２７）と、を有すること、を特徴とする反射スクリーン（１０）である。
【００１９】
第１３の発明は、第１２の発明に記載の反射スクリーン（１０）において、前記調光材料（２６、２７）は、二色性色素を有する液晶であること、を特徴とする反射スクリーン（１０）である。
【００２０】
第１４の発明は、第１１の発明に記載の反射スクリーン（１０）において、前記調光層（４０）は、感光物質を含むこと、を特徴とする反射スクリーン（１０）である。
【００２１】
第１５の発明は、第１４の発明に記載の反射スクリーン（１０）において、前記感光物質は、紫外線を励起光として受光することにより透過率が変化し、励起光を前記感光物質へ導光する導光層（２１４）を備えること、を特徴とする反射スクリーン（１０）である。
【００２２】
第１６の発明は、第１５の発明に記載の反射スクリーン（１０）において、前記調光層（２１０）は、前記感光物質及び前記導光層（２１４）を両側から挟む位置に配置され前記励起光の少なくとも一部を遮蔽する遮蔽層（２１２、２１３）を備えること、を特徴とする反射スクリーン（１０）である。
【００２３】
第１７の発明は、第１の発明から第１６の発明までのいずれかに記載の反射スクリーン（１０）において、前記反射層（１３）は、前記単位光学形状（１２１）の前記映像光が入射する位置に複数の島状に形成されていること、を特徴とする反射スクリーン（１０）である。
【００２４】
第１８の発明は、第１の発明から第１７の発明までのいずれかに記載の反射スクリーン（１０）において、前記反射層（１３）は、誘電体膜を少なくとも１層含むこと、を特徴とする反射スクリーン（１０）である。
【００２５】
第１９の発明は、第１の発明から第１８の発明までのいずれかに記載の反射スクリーン（１０）において、前記光学形状層（１２）は、前記単位光学形状（１２１）が同心円状に複数配列されたサーキュラーフレネルレンズ形状を有すること、を特徴とする反射スクリーン（１０）である。
【００２６】
第２０の発明は、第１９の発明に記載の反射スクリーン（１０）において、前記サーキュラーフレネルレンズ形状の中心は、当該反射スクリーン（１０）の外に設けられていること、を特徴とする反射スクリーン（１０）である。
【００２７】
第２１の発明は、第１の発明から第２０の発明までのいずれか１項に記載の反射スクリーン（１０）において、当該反射スクリーン（１０）の厚み方向において前記反射層（１３）よりも背面側に、光透過性を有し、前記単位光学形状（１２１）の間の谷部を充填するように積層された第２光学形状層（１４）を備えること、を特徴とする反射スクリーン（１０）である。
【００２８】
第２２の発明は、第１の発明から第２１の発明までのいずれかに記載の反射スクリーン（１０）において、光を拡散する機能を有する拡散粒子を含有する光拡散層を備えていないこと、を特徴とする反射スクリーン（１０）である。
【００２９】
第２３の発明は、第１の発明から第２２の発明までのいずれか１項に記載の反射スクリーン（１０）において、前記反射層（１３）は、当該反射スクリーン（１０）の厚み方向において所定の間隔を空けて複数層設けられていること、を特徴とする反射スクリーン（１００）である。
【００３０】
第２４の発明は、第１の発明から第２３の発明までのいずれかに記載の反射スクリーン（１０、１００）と、前記反射スクリーン（１０、１００）に対して映像光を投射する映像源（ＬＳ）と、を備える映像表示装置（１）である。
【発明の効果】
【００３１】
本発明によれば、反射スクリーンと映像源との相対的な位置の自由度が高く、かつ、良好な映像を表示できる反射スクリーン、映像表示装置を提供することができる。
【図面の簡単な説明】
【００３２】
【図１】第１実施形態の映像表示装置１を示す斜視図である。
【図２】映像表示装置１を側面から見た図である。
【図３】第１実施形態のスクリーン１０の層構成の一例を示す図である。
【図４】実施形態の第１光学形状層１２を説明する図である。
【図５】図３中の１点鎖線の円で囲んだ領域Ａを拡大した図である。
【図６】１／２角αＶと映像光の入射角φ及び第１斜面１２１ａの角度θ１の関係について説明する図である。
【図７】本実施形態のスクリーン１０での映像光及び外光の様子を示す図である。
【図８】第１実施形態の変形形態を図３と同様な断面で示した図である。
【図９】第２実施形態のスクリーン１０の層構成の一例を示す図である。
【図１０】第２実施形態のスクリーン１０の層構成の他の例を図９と同様にして示す図である。
【図１１】実施例１及び実施例２の透過率をまとめて示した図である。
【図１２】第３実施形態のスクリーン１０の層構成の一例を示す図である。
【図１３】第２実施形態の映像表示装置１を自動車のフロントウインドウに配置した例を車内側から見た自動車ＶＣの運転席周辺を示した図である。
【図１４】図１３におけるフロントウインドウ２のｂ−ｂ断面図である。
【図１５】第４実施形態のスクリーン１０の層構成の一例を示す図である。
【図１６】第５実施形態のスクリーン１０の層構成の一例を示す図である。
【図１７】第５実施形態の反射層１３を示す図である。
【図１８】第５実施形態の反射層１３の別な形態を示す図である。
【図１９】第５実施形態の反射層１３の製造方法の一例を示す図である。
【図２０】第６実施形態のスクリーン１００の層構成を説明する図である。
【図２１】第６実施形態のスクリーン１００の別の形態を説明する図である。
【図２２】第６実施形態のスクリーン１００の別な形態２を説明する図でありスクリーン１００を画面上下方向の上側から見た図である。
【図２３】第６実施形態のスクリーン１００の別な形態２を説明する図でありスクリーン１００を画面左右方向の右側から見た図である。
【図２４】第７実施形態の映像表示装置１を示す斜視図である。
【図２５】第７実施形態の映像表示装置１を上面から見た図である。
【図２６】第８実施形態のスクリーン１０の層構成の一例を示す図である。
【図２７】単位光学形状１２１の変形形態の一例を示す図である。
【発明を実施するための形態】
【００３３】
以下、本発明を実施するための最良の形態について図面等を参照して説明する。なお、図１を含め、以下に示す各図は、模式的に示した図であり、各部の大きさ、形状は、理解を容易にするために、適宜誇張、又は、簡略化している。
本明細書中において、記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、シート面とは、各シートにおいて、そのシート全体として見たときにおける、シートの平面方向となる面を示すものであるとする。なお、板面、フィルム面についても同様である。
【００３４】
（第１実施形態）
図１は、第１実施形態の映像表示装置１を示す斜視図である。
図２は、映像表示装置１を側面から見た図である。
映像表示装置１は、スクリーン１０、映像源ＬＳ等を有している。本実施形態のスクリーン１０は、映像源ＬＳから投影された映像光Ｌを反射して、画面上に映像を表示する反射スクリーンである。このスクリーン１０の詳細に関しては、後述する。
本実施形態では、一例として、映像表示装置１は、室内用の透明板によって構成されたパーテーションに適用され、スクリーン１０がその透明板に固定される例を挙げて説明する。なお、このような透明板としては、ガラス製や樹脂製等の透明性の高い板状の部材が用いられる。
【００３５】
ここで、理解を容易にするために、図１及び図２を含め以下に示す各図において、適宜、ＸＹＺ直交座標系を設けて示している。この座標系では、スクリーン１０の画面の水平方向（左右方向）をＸ方向、鉛直方向（上下方向）をＹ方向とし、スクリーン１０の厚み方向をＺ方向とする。スクリーン１０の画面は、ＸＹ面に平行であり、スクリーン１０の厚み方向（Ｚ方向）は、スクリーン１０の画面に直交する。
また、スクリーン１０の映像源側の正面方向に位置する観察者Ｏ１から見て水平方向の右側に向かう方向を＋Ｘ方向、鉛直方向の上側に向かう方向を＋Ｙ方向、厚み方向において背面側（裏面側）から映像源側に向かう方向を＋Ｚ方向とする。
さらに、以下の説明中において、画面上下方向、画面左右方向、厚み方向とは、特に断りが無い場合、このスクリーン１０の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００３６】
映像源ＬＳは、映像光Ｌをスクリーン１０へ投影する映像投射装置であり、例えば、短焦点型のプロジェクタである。
この映像源ＬＳは、映像表示装置１の使用状態において、スクリーン１０の画面（表示領域）を正面方向（スクリーン面の法線方向）から見た場合に、スクリーン１０の画面左右方向の中央であって、スクリーン１０の画面よりも鉛直方向下方側に位置している。
映像源ＬＳは、奥行き方向（Ｚ方向）において、スクリーン１０の表面からの距離が、従来のスクリーンの画面正面方向に位置する汎用プロジェクタに比べて大幅に近い位置から斜めに映像光Ｌを投影できる。したがって、従来の汎用プロジェクタに比べて、映像源ＬＳは、スクリーン１０までの投射距離が短く、投射された映像光Ｌがスクリーン１０に入射する入射角度が大きく、入射角度の変化量（入射角度の最小値から最大値までの変化量）も大きい。
【００３７】
スクリーン１０は、映像源ＬＳが投射した映像光Ｌを映像源側（＋Ｚ側）の正面方向に位置する観察者Ｏ１側へ向けて反射して、観察者Ｏ１に映像を表示でき、かつ、スクリーン１０の向こう側の景色を観察できる透明性を有する半透過型の反射スクリーンである。
スクリーン１０の画面（表示領域）は、使用状態において、観察者Ｏ１側から見て長辺方向が画面左右方向となる略矩形状である。また、スクリーン１０は、その画面サイズが対角４０〜１００インチ程度であり、画面の横縦比が１６：９である。
なお、これに限らず、スクリーン１０は、例えば、観察者Ｏ１側から見た形状を他の形状としてもよいし、その画面サイズを４０インチ以下の大きさとしてもよく、使用目的や使用環境等に応じて、その大きさや形状は適宜選択できるものとする。
【００３８】
スクリーン１０が、樹脂製の薄い層の積層体等の場合は、それ単独では平面性を維持するだけの十分な剛性を有していない。そのため、本実施形態のスクリーン１０は、図１及び図２等に示すように、その背面側に光透過性を有する接合層５１を介して支持板５０に一体に接合（あるいは部分固定）され、画面の平面性を維持している。
支持板５０は、光透過性を有し、剛性が高い平板状の部材であり、アクリル樹脂やＰＣ（ポリカーボネート）樹脂等の樹脂製、ガラス製等の板状の部材を用いることができる。本実施形態の支持板５０は、室内用パーテーションのガラス製の透明板である。
なお、これに限らず、スクリーン１０は、不図示の枠部材等によってその四辺等が支持され、その平面性を維持する形態としてもよい。もちろん、基材に剛性の高い透明シートを用いる事も可能である。
【００３９】
図３は、第１実施形態のスクリーン１０の層構成の一例を示す図である。図３では、スクリーン１０の画面中央（画面の幾何学的中心）となる点Ａ（図１及び図２参照）を通り、画面上下方向（Ｙ方向）に平行であって、スクリーン面に直交（Ｚ方向に平行）する断面として示している。なお、図３では、スクリーン１０のみを示し、支持板５０等は省略して示している。
図４は、実施形態の第１光学形状層１２を説明する図である。図４では、第１光学形状層１２を背面側（−Ｚ側）から見た図であり、理解を容易にするために、反射層１３等を省略して示している。
スクリーン１０は、図３に示すように、厚み方向（Ｚ方向）において、その映像源側（＋Ｚ側）から順に、基材層１１、第１光学形状層１２、反射層１３、第２光学形状層１４、保護層１５等を備えている。
【００４０】
基材層１１は、光透過性を有するシート状の部材であり、その背面側（−Ｚ側）に、第１光学形状層１２が一体に形成されている。この基材層１１は、第１光学形状層１２を形成する基材（ベース）となる層である。
基材層１１は、例えば、高い光透過性を有するＰＥＴ（ポリエチレンテレフタレート）等のポリエステル樹脂、アクリル樹脂、スチレン樹脂、アクリル・スチレン樹脂、ＰＣ（ポリカーボネート）樹脂、脂環式ポリオレフィン樹脂、ＴＡＣ（トリアセチルセルロース）樹脂等により形成される。
基材層１１は、スクリーン１０の画面サイズ等に応じてその厚さを適宜設定してよい。
【００４１】
第１光学形状層１２は、基材層１１の背面側（−Ｚ側）に形成された光透過性を有する層である。第１光学形状層１２の背面側（−Ｚ側）の面には、単位光学形状１２１が複数配列されて設けられている。
単位光学形状１２１は、図４に示すように、真円の一部形状（円弧状）であり、スクリーン１０の画面（表示領域）外に位置する点Ｃを中心として、同心円状に複数配列されている。すなわち、第１光学形状層１２は、点Ｃを中心（フレネルセンター）とする、いわゆるオフセット構造のサーキュラーフレネルレンズ形状を、その背面側に有している。
本実施形態では、図４に示すように、第１光学形状層１２をスクリーン面の法線方向背面側から見たときに、点Ｃは、画面左右方向の中央であって画面外下方に位置しており、点Ｃと点Ａとは、Ｙ方向に平行な同一直線上に位置している。
【００４２】
図５は、図３中の１点鎖線の円で囲んだ領域Ａを拡大した図である。
単位光学形状１２１は、図３及び図５に示すように、スクリーン面に直交する方向（Ｚ方向）に平行であって、単位光学形状１２１の配列方向に平行な断面において、頂点が丸みを帯びた略三角形形状の断面形状となっている。
単位光学形状１２１は、背面側（−Ｚ側）に凸であり、映像光が入射する第１斜面（第１の面）１２１ａと、これに対向する第２斜面（第２の面）１２１ｂと、第１斜面１２１ａと第２斜面１２１ｂとを接続する曲面で構成された接続面１２１ｃとを有している。１つの単位光学形状１２１において、第１斜面１２１ａは、頂点ａの部位に形成されている接続面１２１ｃを挟んで第２斜面１２１ｂの上側（＋Ｙ側）に位置している。
【００４３】
第１斜面１２１ａがスクリーン面に平行な面となす角度は、θ１である。第２斜面１２１ｂがスクリーン面に平行な面となす角度は、θ２である。角度θ１，θ２は、θ２＞θ１という関係を満たしている。
この単位光学形状１２１の第１斜面１２１ａと第２斜面１２１ｂと接続面１２１ｃとには、微細かつ不規則な凹凸形状が形成されている。この微細な凹凸形状は、凸形状と凹形状とが２次元方向に不規則に配列されて形成されており、凸形状及び凹形状は、その大きさや形状、高さ等が不規則である。
【００４４】
接続面１２１ｃは、本実施形態では、図５に示す断面形状が微細な凹凸形状を除くと（巨視的に見ると）、略円弧形状となる略円筒面として構成されている。この接続面１２１ｃを設けることにより、後述する反射層１３が映像光を反射する部位が、第１斜面１２１ａのみではなく、この接続面１２１ｃによっても映像光の一部が反射されることとなる。接続面１２１ｃは、第１斜面１２１ａから第２斜面１２１ｂへと滑らかに繋がる曲面によって構成されている。したがって、接続面１２１ｃ上に形成されている反射層１３は、第１斜面１２１ａのみが映像光を反射する場合の光路よりも、映像光の有効な光路を上下方向について拡大することができる。よって、単位光学形状１２１の配列方向における光の拡散作用は、配列方向に直交する方向における光の拡散作用よりも大きい。
なお、図５では、接続面１２α１ｃは、接続面１２１ｃをわかりやすく示すために正確な円弧として示したが、第１斜面１２１ａ及び第２斜面１２１ｂと同様に接続面１２１ｃ上には、微細な凹凸形状が設けられている。なお、この微細な凹凸形状及び反射層は、接続面１２１ｃ上についても設けられているが、接続面１２１ｃ上には設けない構成としてもよい。
【００４５】
単位光学形状１２１の配列ピッチは、Ｐであり、単位光学形状１２１の高さ（厚み方向における頂点ａから単位光学形状１２１間の谷底となる点ｂまでの寸法）は、ｈである。
理解を容易にするために、図２では、単位光学形状１２１の配列ピッチＰ１、角度θ１，θ２は、単位光学形状１２１の配列方向において一定である例を示している。しかし、本実施形態の単位光学形状１２１は、実際には、配列ピッチＰは一定であるが、角度θ１が単位光学形状１２１の配列方向においてフレネルセンターとなる点Ｃから離れるにつれて次第に大きくなっている。
また、角度θ１，θ２、配列ピッチＰ等は、映像源ＬＳからの映像光の投射角度（スクリーン１０への映像光の入射角度）や、映像源ＬＳの画素（ピクセル）の大きさ、スクリーン１０の画面サイズ、各層の屈折率等に応じて、適宜設定してよい。例えば、単位光学形状１２１の配列方向に沿って、配列ピッチＰや角度θ１等が変化する形態としてもよい。
【００４６】
本実施形態では、第１光学形状層１２の背面側の面には、サーキュラーフレネルレンズ形状が形成される例を示した。これに限らず、第１光学形状層１２の背面側の面には、単位光学形状１２１が画面左右方向（Ｘ方向）を長手方向とし、画面上下方向（Ｙ方向）に配列されたリニアフレネルレンズ形状が形成される形態としてもよい。また、柱状の単位プリズムが、画面左右方向（Ｘ方向）を長手方向とし、画面上下方向（Ｙ方向）に複数された形態としてもよい。
【００４７】
第１光学形状層１２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、第１光学形状層１２を構成する樹脂として、紫外線硬化型樹脂を例に挙げて説明するが、これに限らず、例えば、電子線硬化型樹脂等の他の電離放射線硬化型樹脂により形成してもよい。
【００４８】
反射層１３は、単位光学形状１２１上（第１斜面１２１ａと第２斜面１２１ｂと接続面１２１ｃとの上）に形成されている。この反射層１３は、入射した光の一部を反射し、その他を透過する半透過型の反射層、いわゆるハーフミラーである。
前述のように、第１斜面１２１ａと第２斜面１２１ｂと接続面１２１ｃとの上（単位光学形状１２１の表面）には、微細な凹凸形状が形成されており、反射層１３は、この微細な凹凸形状に追従して形成され、かつ、単位光学形状１２１側とは反対側の面にも、この微細かつ不規則な凹凸形状が維持された状態で成膜されている。したがって、反射層１３の映像源側の面（第１光学形状層１２側の面）と、背面側の面（第２光学形状層１４側の面）とは、微細かつ不規則な凹凸形状を有するマット面（粗面）となっている。
この反射層１３は、入射した光の一部を反射面の微細な凹凸形状により拡散して反射し、反射しない他の光を拡散しないで透過するという機能を有する。
【００４９】
本実施形態では、反射層１３は、金属を用いた構成と、誘電体多層膜を用いた構成と、単層の誘電体膜を用いた構成と、の３種類を作製した。また、反射層１３は、金属膜、誘電体膜を単層又は複層として適宜組み合わせて用いることができる。
反射層１３は、金属を用いる場合、光反射性の高い金属、例えば、アルミニウム、銀、ニッケル等により形成され、その厚さは、数１０Å程度である。反射層１３は、これに限らず、例えば、上述のような光反射性の高い金属をスパッタリングして形成してもよい。
また、金属を用いた反射層１３の反射率及び透過率は、所望する光学性能に合わせて適宜に設定できるが、映像光を良好に反射させるとともに、映像光以外の光（例えば、太陽光等の外界からの光）を良好に透過させる観点から、例えば、透過率が３０〜８０％程度、反射率が５〜６０％程度の範囲とすることができる。なお、上記透過率を含めて、以下に示す各層の透過率に関する数値は、空気界面における反射については考慮していない値を示している。また、スクリーン１０の表面（空気界面）における反射は、その表面処理によって大きく左右されるが、例えば、１０％程度を考慮するとよい。
本実施形態で金属を用いて構成した反射層１３は、アルミニウムを蒸着することにより形成されており、反射層１３のみでの透過率が約７０％、反射率が約５％、吸収率が約２５％のハーフミラー状である。
【００５０】
また、反射層１３は、誘電体多層膜を用いる場合、金属蒸着膜等に比べて高い透明性及び反射率を実現可能である。誘電体多層膜は、屈折率の高い誘電体膜（以下、高屈折率誘電体膜という）と屈折率が低い誘電体膜（以下、低屈折率誘電体膜という）とが交互に複数積層されて形成されている。
高屈折率誘電体膜は、例えば、ＴｉＯ２（二酸化チタン）、Ｎｂ２Ｏ５（五酸化ニオブ）、Ｔａ２Ｏ５（五酸化タンタル）等により形成される。高屈折率誘電体膜の屈折率は、２．０〜２．６程度である。
低屈折率誘電体膜は、例えば、ＳｉＯ２（二酸化ケイ素）、ＭｇＦ２（フッ化マグネシウム）等により形成される。低屈折率誘電体膜の屈折率は、１．３〜１．５程度である。
高屈折率誘電体膜及び低屈折率誘電体膜の膜厚は、約５〜１００ｎｍであり、これらが交互に２〜１０層程積層されて形成されており、誘電体多層膜の総厚は、１０〜１０００ｎｍ程度である。
この誘電体多層膜を用いて構成された反射層１３は、波長域４００〜８００ｎｍの光に対して、その透過率が９０％程度、反射率が１０％程度である。
【００５１】
誘電体多層膜により形成された反射層１３は、アルミニウム等の金属蒸着膜等により形成された反射層に比べて、高い透明性を有しており、また、光の吸収損失が小さく、高い反射率を実現できる。
この反射層１３は、単位光学形状１２１上（第１斜面１２１ａと第２斜面１２１ｂと接続面１２１ｃとの上）に、上述のような誘電体多層膜を蒸着加工する、スパッタ加工する等により、所定の厚さで形成される。
本実施形態で誘電体多層膜を用いて構成した本実施形態の反射層１３は、ＴｉＯ２（二酸化チタン）により形成された高屈折率誘電体膜と、ＳｉＯ２により形成された低屈折率誘電体膜を交互に計５層積層（高屈折率誘電体膜が３層、低屈折率誘電体膜が２層）して形成されており、透過率が約９０％、反射率が約１０のハーフミラー状である。
【００５２】
また、反射層１３は、単層の誘電体膜を用いる場合、例えば、ＺｎＳ（硫化亜鉛）、ＴｉＯ２（二酸化チタン）、Ｎｂ２Ｏ５（五酸化ニオブ）、Ｔａ２Ｏ５（五酸化タンタル）、ＳｉＯ２（二酸化ケイ素）、ＭｇＦ２（フッ化マグネシウム）等により形成される。誘電体膜の膜厚は、約２０〜１００ｎｍである。
この反射層１３は、可視光の波長域の光に対して、その反射率が約５〜２０％、透過率が約８０〜９５％である。なお、スクリーン１０全体としてみた場合、スクリーン１０の表面における反射成分（約１０％）も存在するので、スクリーン１０全体としての透過率は約７０〜８５％となる。
単層の誘電体膜を用いる反射層１３は、アルミニウム等の金属蒸着膜等により形成された反射層に比べて、高い透明性を有しており、また、光の吸収損失が小さく、高い反射率を実現でき、光の利用効率が高い。本実施形態の反射層１３は、ＺｎＳ（硫化亜鉛）の誘電体膜により形成されている。
なお、いずれの材料を用いた場合であっても、反射層１３の厚さは、その材質や所望する光学性能等によって適宜設定してよい。
【００５３】
第２光学形状層１４は、第１光学形状層１２の背面側（−Ｚ側）に設けられた光透過性を有する層である。
第２光学形状層１４は、単位光学形状１２１間の谷部を埋めるように充填され、第１光学形状層１２の背面側（−Ｚ側）の面を平坦化している。この第２光学形状層１４の映像源側（＋Ｚ側）の面は、第１光学形状層１２の単位光学形状１２１の略逆型の形状が複数配列されて形成されており、第１光学形状層１２と屈折率が同じ材料を用いている。
このような第２光学形状層１４を設けることにより、スクリーン１０の透明性を確保でき、反射層１３を保護することができる。また、このような第２光学形状層１４を設けることにより、スクリーン１０の背面側に保護層１５等を積層しやすくなる。
【００５４】
第２光学形状層１４の屈折率は、第１光学形状層１２と略同等（同等とみなせる程度に小さい屈折率差を有している状態）であることが好ましく、同等であることが望ましい。また、第２光学形状層１４は、前述の第１光学形状層１２と同じ樹脂を用いて形成してもよいし、異なる樹脂を用いて形成してもよい。
本実施形態の第２光学形状層１４は、第１光学形状層１２と同じ紫外線硬化型樹脂により形成されている。
【００５５】
保護層１５は、第２光学形状層１４の背面側（−Ｚ側）に形成された光透過性を有する層であり、このスクリーン１０の背面側（−Ｚ側）を保護する機能を有している。
保護層１５は、光透過性の高い樹脂製のシート状の部材が用いられる。保護層１５は、例えば、前述の基材層１１と同様の材料を用いて形成されたシート状の部材を用いてもよい。なお、保護層１５は、省略してもよい。
【００５６】
本実施形態のスクリーン１０では、反射層１３は、微細な凹凸形状を有する第１斜面１２１ａ及び第２斜面１２１ｂに形成され、反射面となる第１光学形状層１２側の面がマット面（粗面）となっている。したがって、第１斜面１２１ａに入射した光の一部は、拡散反射される。
ここで、単位光学形状１２１の配列方向において、第１斜面１２１ａから反射層１３に入射して拡散反射し、スクリーン１０から出射した光（反射光）のピーク輝度の角度Ｋに対して、単位光学形状１２１の配列方向（本実施形態では、画面上下方向）において、輝度が１／２となる角度をＫ１，Ｋ２とし、ピーク輝度の角度Ｋから輝度が１／２となる角度Ｋ１，Ｋ２までの角度変化量を＋αＶ１（ただし、Ｋ＋αＶ１＝Ｋ１），−αＶ２（Ｋ−αＶ２＝Ｋ２）とするとき、ピーク輝度から輝度が１／２になるまでの角度変化量の絶対値の平均値をαＶ（これを以下、１／２角αＶという）とするとき、この１／２角αＶは、５°以上４５°以下（５°≦αＶ≦４５°）とすることが好ましい。
αＶ＜５°である場合、視野角が狭くなり過ぎ、映像が見えにくくなるので好ましくない。また、αＶ＜５°である場合、反射光において鏡面反射成分が増え、光源の映り込み等が生じるため、好ましくない。
αＶ＞４５°である場合、視野角は広くなるが映像の明るさが低下したり、映像のぼけが強くなったり、外光のスクリーン１０の表面での反射によって映像のコントラストが低下したりするので好ましくない。したがって、１／２角αＶは、上記範囲が好ましい。
【００５７】
また、第１斜面１２１ａのうち、粗面ではない領域、すなわち、微細な凹凸形状が形成されていない領域であって反射層１３の反射面が鏡面状あり、入射した映像光が鏡面反射する鏡面領域は、第１斜面１２１ａ上に形成された反射層１３の単位面積当たり５％以下であることが、映像光を十分に拡散し、良好な視野角を得るために必要であり、０％であることが理想的である。
第１斜面１２１ａの単位面積当たりにおいて、粗面ではない鏡面領域が５％を超えると、拡散されず反射して観察者Ｏ側に到達する映像光の成分により輝線が生じたり、視野角が低下したりするため、好ましくない。
【００５８】
図６は、１／２角αＶと映像光の入射角φ及び第１斜面１２１ａの角度θ１の関係について説明する図である。
図６では、理解を容易にするために、スクリーン１０内の構成は簡略化し、基材層１１及び保護層１５は省略して示している。図６では角度αＶ，φに関して、スクリーン面の法線に対して画面上側を＋、画面下側を−として示している。
第１斜面１２１ａの角度θ１は、映像光をスクリーン１０の正面方向に位置する観察者に最も効率よく映像を反射するように、すなわち、反射光のピーク輝度となる角度Ｋが０°となるように、各層の屈折率等に基づいて設計されている。また、−αＶから＋αＶまでの範囲は、スクリーン正面に位置する観察者が映像を良好に観察することを想定している範囲である。
ここで、画面上下方向（単位光学形状１２１の配列方向）におけるある点において、映像光Ｌがスクリーン１０の下方から入射角φで入射し、屈折率ｎの第１光学形状層１２を進み、スクリーン面に対して角度θ１をなす第１斜面１２１ａに入射して反射層１３で反射し、スクリーン１０からスクリーン面に直交する方向（出射角度０°）へ出射するとき、角度θ１は、以下の式１で表される。
θ１＝１／２×ａｒｃｓｉｎ（（ｓｉｎφ）／ｎ）  ・・・（式１）
【００５９】
本実施形態のように、映像源ＬＳから映像光を投射してスクリーン１０で反射させ、映像を表示する際に、映像光を投射する映像源ＬＳの光源が映り込み、映像のコントラストが低下するという問題が生じる場合がある。この映像源の映り込みは、スクリーンの表面で反射した映像光が観察者に届くことが主な原因である。
このような映像源の映り込みを防止するためには、スクリーン１０の表面で観察者が主に映像を良好に観察する範囲となる角度範囲（−αＶ〜＋αＶ）よりも外側に、スクリーンの表面で反射した映像光が進むことが好ましい。入射角φで入射した映像光Ｌの一部Ｌｒがスクリーン表面で反射する場合、その反射角はφである。したがって、映像源の映り込みを防止するために、αＶ＜φであることが好ましい。
【００６０】
よって、前述の（式１）から、画面上下方向（単位光学形状１２１の配列方向）において、１／２角αＶは、第１斜面１２１ａの角度θ１に対して、映像源の映り込みを防止するために、少なくともスクリーン１０の一部の領域（例えば、スクリーン中央）において、以下の式２を満たすことが好ましい。
αＶ＜ａｒｃｓｉｎ（ｎ×ｓｉｎ（２×（θ１）））  ・・・（式２）
また、映像源の映り込み防止のためには、１／２角αＶは、第１斜面１２１ａの角度θ１に対して、スクリーン１０の全域において、上記式２を満たすことがさらに好ましい。
角度θ１が１／２角αＶに対して、上記式２を満たす形態とすることにより、スクリーン１０への入射時にスクリーン１０の表面で反射する光が主に向かう方向（＋φの方向）が、反射層１３で反射した映像光がスクリーン１０から出射して進む範囲（−αＶ〜＋αＶ）よりも外側となる。これにより、−αＶから＋αＶまでの範囲において、映像源ＬＳの映り込みを低減し、コントラストの高い良好な映像を表示することができる。
また、単位光学形状１２１の延在方向におけるピーク輝度から輝度が１／２になるまでの角度変化量の絶対値の平均値をαＨ（これを以下、１／２角αＨという）とすると、本実施形態のスクリーン１０では、αＶ＞αＨの関係を満たしている。
【００６１】
スクリーン１０は、例えば、以下のような製造法により形成される。
基材層１１を用意し、その一方の面に、単位光学形状１２１を賦形する成形型に紫外線硬化型樹脂を充填した状態で積層し、紫外線を照射して樹脂を硬化させるＵＶ成形法により第１光学形状層１２を形成する。このとき、単位光学形状１２１を賦形する成形型の第１斜面１２１ａと第２斜面１２１ｂと接続面１２１ｃとを賦形する面には、微細な凹凸形状が形成されている。この微細な凹凸形状は、成形型の第１斜面１２１ａと第２斜面１２１ｂと接続面１２１ｃとを賦形する面に、メッキやエッチング、ブラスト等を組み合わせること等によって形成できる。
第１光学形状層１２を、基材層１１の一方の面に形成した後、第１斜面１２１ａと第２斜面１２１ｂと接続面１２１ｃとに、反射層１３を蒸着等により形成する。
【００６２】
その後、反射層１３の上から、単位光学形状１２１間の谷部を充填して平面状となるように、紫外線硬化型樹脂を塗布し、保護層１５を積層して紫外線硬化型樹脂を硬化させ、第２光学形状層１４及び保護層１５を一体に形成する。その後、所定の大きさに裁断する等により、スクリーン１０が完成する。
基材層１１及び保護層１５は、枚葉状としてもよいし、ウェブ状としてもよい。基材層１１及び保護層１５をウェブ状とした場合には、裁断前の状態のスクリーン１０を連続して製造することができ、スクリーン１０の生産効率を向上させ、生産コストを低減することができる。
【００６３】
また、例えば、第１斜面１２１ａと第２斜面１２１ｂと接続面１２１ｃとに粗面を形成する方法として、第１斜面１２１ａと第２斜面１２１ｂと接続面１２１ｃとの上に拡散粒子等を塗布してその上から反射層１３を形成したり、第１光学形状層１２を形成後に第１斜面１２１ａと第２斜面１２１ｂと接続面１２１ｃとにブラスト加工を行ったりする方法等が知られている。しかし、このような製法で反射層１３の反射面を粗面とした場合には、個々のスクリーン１０での拡散特性や品質等のばらつきが大きく、安定した製造が行えない。これに対して、上述のように、単位光学形状１２１の第１斜面１２１ａと第２斜面１２１ｂと接続面１２１ｃとの微細凹凸形状を成形型によって賦形することにより、多数の第１光学形状層１２及びスクリーン１０を製造する場合にも、品質のばらつきが少なく、安定して製造できるという利点がある。
【００６４】
図７は、本実施形態のスクリーン１０での映像光及び外光の様子を示す図である。図７では、単位光学形状１２１の配列方向（Ｙ方向）及びスクリーンの厚み方向（Ｚ方向）に平行な断面での断面の一部を拡大して示している。また、図７では、理解を容易にするために、粘着層３０及び調光層２０を含めてスクリーン１０内の各層の界面における屈折率差はないものとして示している。
スクリーン１０の下方に位置する映像源ＬＳから投射され、スクリーン１０に入射した映像光Ｌ１のうち、一部の映像光Ｌ２は、その単位光学形状１２１の第１斜面１２１ａ及び接続面１２１ｃに入射し、反射層１３によって拡散反射され、観察者Ｏ１側へ出射する。
【００６５】
第１斜面１２１ａ及び接続面１２１ｃに入射した映像光のうち反射しなかった他の映像光Ｌ３は、反射層１３を透過し、スクリーン１０の背面側（−Ｚ側）から出射する。このとき、映像光Ｌ３は、スクリーン１０の上方へと出射し、スクリーン１０の背面側の正面方向に位置する観察者Ｏ２には到達しない。
また、映像源ＬＳから投射された映像光Ｌ１うち、一部の映像光Ｌ４は、スクリーン１０の映像源側表面で反射するが、スクリーン１０上方へ向かうので、観察者Ｏ１の映像の視認の妨げにはならない。
なお、本実施形態では、映像源ＬＳがスクリーン１０よりも下方に位置し、映像光Ｌ１がスクリーン１０の下方から投射され、かつ、第２斜面１２１ｂの角度θ２（図３参照）がスクリーン１０の画面上下方向の各点における映像光の入射角度よりも大きいので、映像光が第２斜面１２１ｂに直接入射することはなく、第２斜面１２１ｂは、映像光の反射には殆ど影響しない。
【００６６】
次に、背面側（−Ｚ側）又は映像源側（＋Ｚ側）からスクリーン１０に入射する映像光以外の太陽光等の外界からの光（以下、外光という）について説明する。
図７に示すように、スクリーン１０に入射する外光Ｇ１，Ｇ５のうち、一部の外光Ｇ２，Ｇ６は、スクリーン１０の表面で反射し、スクリーン下方側へ向かう。また、一部の外光Ｇ３，Ｇ７は、反射層１３で反射し、例えば、外光Ｇ３は、スクリーン１０の映像源側（＋Ｚ側）の表面で全反射してスクリーン１０内下方へ向かい、外光Ｇ７は、背面側（−Ｚ側）のスクリーン外上方側へ出射する。また、反射層１３で反射しなかった他の外光Ｇ４，Ｇ８は、反射層１３を透過して、それぞれ背面側、映像源側へ出射する。このとき、映像源側へ出射する外光Ｇ２，Ｇ３，Ｇ８は、観察者Ｏには到達しないので、映像のコントラスト低下を抑制できる。
【００６７】
また、スクリーン１０に入射した外光の一部は、スクリーン１０の映像源側及び背面側の表面で全反射して、スクリーン内部下方側へ向かい、減衰する。
また、他の外光Ｇ９，Ｇ１０は、反射層１３を透過して、それぞれ背面側、映像源側へ出射する。スクリーン１０は、拡散粒子を含有する拡散材等を含有していないので、このスクリーン１０を透過する外光Ｇ９，Ｇ１０は、拡散されない。したがって、スクリーン１０を通して、スクリーン１０の向こう側の景色を観察した場合に、スクリーン１０の向こう側の景色がぼやけたり、白くにじんだりすることなく、高い透明性を有して観察することができる。
【００６８】
ここで、上述したように、本実施形態のスクリーン１０は、拡散作用を有する粒子等の拡散材を含有した光拡散層を備えておらず、拡散作用を有するのは、反射層１３の微細凹凸形状である。
【００６９】
従来の拡散粒子を含有する拡散層を備えた半透過型の反射スクリーンでは、映像光は、反射層での反射前後の２回拡散されるので、良好な視野角が得られる一方で映像の解像度が低下するという問題がある。また、拡散粒子によって外光も拡散されるため、スクリーンの向こう側の景色がぼやけたり、白くにじんだりして観察され、透明性が低下する。
【００７０】
しかし、本実施形態のスクリーン１０では、反射層１３の映像源側の面が微細な凹凸形状を有しているので、映像光は反射時のみ拡散される。また、本実施形態のスクリーン１０では、反射層１３で反射する光のみが拡散され、透過光は拡散されない。したがって、本実施形態のスクリーン１０は、良好な視野角及び解像度を有する映像を表示でき、かつ、スクリーン１０の向こう側の景色が白くにじんだり、ぼけたりすることがなく観察者Ｏ１に良好に視認され、高い透明性を実現できる。また、本実施形態のスクリーン１０では、スクリーン１０に映像光が投射された状態においても、観察者Ｏ１が、スクリーン１０の向こう側（背面側）の景色を一部視認することが可能である。さらに、本実施形態のスクリーン１０では、背面側に位置する観察者Ｏ２は、映像光の投射の有無に関わらず、スクリーン１０越しに映像源側（＋Ｚ側）の景色を高い透明性を有して良好に視認することができる。
【００７１】
また、画面中央で、正面が、最大輝度となる条件で、映像光を投影した状況での角度輝度分布を測定した場合に、単位光学形状１２１の配列方向における半値角は、配列方向に直交する方向における半値角よりも、５％以上大きいことが望ましく、２０％から１００％大きいことがさらに望ましい。これにより、映像源ＬＳを設置する位置の自由度を大きくすることができる。
【００７２】
以上説明したように、第１実施形態のスクリーン１０は、接続面１２１ｃを設けることにより、単位光学形状１２１の配列方向における光の拡散作用は、配列方向に直交する方向における光の拡散作用よりも大きい。よって、第１実施形態のスクリーン１０は、スクリーン１０と映像源ＬＳとの相対的な位置の自由度が高く、かつ、良好な映像を表示できる。
【００７３】
また、スクリーン１０は、第１光学形状層１２及び反射層１３の背面側の面に、光透過性を有し、配列された複数の単位光学形状１２１間の凹凸を埋める第２光学形状層１４を備えるので、背面側の反射層１３を保護することができる。また、スクリーン１０の背面側の面を平坦にすることができるので、例えば、スクリーン１０を、合わせガラスを構成する２枚のガラス板に挟持させたり、スクリーン１０をガラス板に貼付したりする場合に、隙間なくスクリーン１０をガラス板に対して配置することができる。
【００７４】
さらに、第１実施形態のスクリーン１０は、第１光学形状層１２の単位光学形状１２１が同心円状に複数配列されたサーキュラーフレネルレンズ形状であり、その光学的中心Ｃ１が当該反射スクリーンの表示領域外に位置している。これにより、スクリーン１０は、スクリーン１０の表示領域外であって画面上下方向下側に位置する短焦点型の映像源ＬＳから投射された入射角度の大きい映像光であっても、画面左右方向の映像が暗くなることがなく、明るさの面均一性の高い良好な映像を表示することができる。
また、スクリーン１０は、反射層１３が誘電体膜により形成されている場合には、反射層１３に入射した光の吸収を極力抑制して、入射光の一部を反射するとともに、他の一部をスクリーン１０の背面側に透過させることができ、入射光の利用効率を向上させることができる。
【００７５】
（第１実施形態の変形形態）
上記第１実施形態では、単位光学形状１２１の第１斜面１２１ａと第２斜面１２１ｂとの間に、曲面で構成された接続面１２１ｃを設けることにより、単位光学形状１２１の配列方向における光の拡散作用を配列方向に直交する方向における光の拡散作用よりも大きくなる構成とした例を示した。
これに限らず、さらに積極的に映像光の配光特性を制御し光の拡散（偏向）作用に異方性を与える構成として、以下に変形形態を説明する。
【００７６】
図８は、第１実施形態の変形形態を図３と同様な断面で示した図である。なお、図８では、第１の面１２１ｄ及び第２の面１２１ｅの形状をわかりやすくするために、反射層１３の厚さを表現せずに１本の線で示している。また、同様な理由から、図８では、単位光学形状１２１に設けられている微細な凹凸形状についても省略して示している。
【００７７】
図８に示す変形形態の単位光学形状１２１は、配列方向で切断した断面形状において、映像源側とは反対側に最も突出した頂点部Ｔと、映像源側に最も凹んだ谷底部Ｖとを有している。また、単位光学形状１２１は、頂点部Ｔ及び谷底部Ｖを境にして、配列方向において幅が広い側の第１の面１２１ｄと、幅が狭い側の第２の面１２１ｅとを有しており、第１の面１２１ｄと第２の面１２１ｅとは、対向している。図８に示す例では、第１の面１２１ｄ及び第２の面１２１ｅの双方とも、配列方向で切断した断面形状が湾曲した構成となっている。また、光学形状層１２の曲面は、谷底部Ｖにおいて連続し、頂点部Ｔにおいて不連続となっている。すなわち、上記断面形状において、谷底部Ｖは湾曲形状であり、頂点部Ｔは鋭角状である。このように構成することにより、より積極的に映像光の配光特性を制御することができ、単位光学形状１２１の配列方向における光の拡散作用を配列方向に直交する方向における光の拡散作用よりも大きくすることができる。
【００７８】
（第２実施形態）
図９は、第２実施形態のスクリーン１０の層構成の一例を示す図である。
第２実施形態のスクリーン１０は、第１実施形態における保護層１５に代えて、粘着層３０と、調光層２０とを設けた形態であり、これら以外の構成は、第１実施形態のスクリーン１０と同様である。よって、前述した第１実施形態と同様の機能を果たす部分には、同一の符号を付して、重複する説明を適宜省略する。
第２実施形態のスクリーン１０は、粘着層３０を介して調光層２０を設けたことにより、透過する光の透過率を選択的に変化させることができる。
【００７９】
図９に示す調光層２０は、印加電圧を変化させることにより透過光の光量を制御することができるフィルムである。
この調光層２０は、第２光学形状層１４の背面側に、粘着層３０を介して接合されており、透過光の光量を制御することができる。本実施形態のスクリーン１０では、反射スクリーン部分（１１〜１４）と調光層２０とを別々に設けずに接合していることから、入射する光については空気界面が１つ減るので、その分、透過率を高めるためには有利な構成となっている。
【００８０】
調光層２０は、二色性色素を使用したゲストホスト型の液晶セルであり、液晶に印加する電界により透過光量を変化させる液晶セルである。調光層２０は、フィルム状の液晶用第２積層体２０Ｂ及び液晶用第１積層体２０Ａにより液晶層２６を挟持して構成される。
液晶用第２積層体２０Ｂは、基材２１Ｂに、透明電極２２Ｂ、配向層２３Ｂ、ビーズスペーサー２４を積層して形成される。
液晶用第１積層体２０Ａは、基材２１Ａに、透明電極２２Ａ、配向層２３Ａを積層して形成される。
調光層２０は、この液晶用第１積層体２０Ａ及び液晶用第２積層体２０Ｂに設けられた透明電極２２Ｂ、２２Ａの駆動により、液晶層２６に設けられたゲストホスト液晶組成物による液晶材料の配向を変化させ、これにより透過光の光量を変化させる。
【００８１】
基材２１Ｂ、２１Ａは、種々の透明樹脂フィルムを適用することができるが、光学異方性が小さく、また、可視域の波長（３８０〜８００ｎｍ）における透過率が８０％以上である透明樹脂フィルムを適用することが望ましい。
透明樹脂フィルムの材料としては、例えば、トリアセチルセルロース（ＴＡＣ）等のアセチルセルロース系樹脂、ポリエチレンテレフタレート（ＰＥＴ）、ポリエチレンナフタレート（ＰＥＮ）等のポリエステル系樹脂、ポリエチレン（ＰＥ）、ポリプロピレン（ＰＰ）、ポリスチレン、ポリメチルペンテン、ＥＶＡ等のポリオレフィン系樹脂、ポリ塩化ビニル、ポリ塩化ビニリデン等のビニル系樹脂、アクリル系樹脂、ポリウレタン系樹脂、ポリサルホン（ＰＥＦ）、ポリエーテルサルホン（ＰＥＳ）、ポリカーボネート（ＰＣ）、ポリスルホン、ポリエーテル（ＰＥ）、ポリエーテルケトン（ＰＥＫ）、（メタ）アクロニトリル、シクロオレフィンポリマー（ＣＯＰ）、シクロオレフィンコポリマー等の樹脂を挙げることができる。
特に、ポリカーボネート（ＰＣ）、シクロオレフィンポリマー（ＣＯＰ）、ポリエチレンテレフタレート（ＰＥＴ）等の樹脂が好ましい。
基材２１Ｂ、２１Ａは、種々の厚みの透明樹脂フィルムを適用することができる。
【００８２】
透明電極（第１電極）２２Ａ、透明電極（第２電極）２２Ｂは、透明樹脂フィルムに積層される透明導電膜から構成されている。
透明導電膜としては、この種の透明樹脂フィルムに適用される各種の透明電極材料を適用することができ、酸化物系の全光透過率が５０％以上の透明な金属薄膜を挙げることができる。例えば、酸化錫系、酸化インジウム系、酸化亜鉛系が挙げられる。
【００８３】
酸化錫（ＳｎＯ２）系としてはネサ（酸化錫ＳｎＯ２）、ＡＴＯ（Antimony Tin Oxide：アンチモンドープ酸化錫）、フッ素ドープ酸化錫が挙げられる。
酸化インジウム（Ｉｎ２Ｏ３）系としては、酸化インジウム、ＩＴＯ（Indium Tin Oxide：インジウム錫酸化物）、ＩＺＯ（Indium  Zinc  Oxide）が挙げられる。
酸化亜鉛（ＺｎＯ）系としては、酸化亜鉛、ＡＺＯ（アルミドープ酸化亜鉛）、ガリウムドープ酸化亜鉛が挙げられる。
本実施形態では、ＩＴＯ（Indium Tin Oxide）により透明導電膜が形成される。
【００８４】
本実施形態ではスペーサーとして球形状のビーズスペーサー２４を用いる。ビーズスペーサー２４は、液晶層２６における外周部を除く部分の厚み（セルギャップ）を規定するために設けられる。ビーズスペーサー２４は、シリカ等による無機材料による構成、有機材料による構成、これらを組み合わせたコアシェル構造の構成等を広く適用することができる。また、ビーズスペーサー２４の形状は、上述した球形状の構成の他、円柱形状や角柱形状等で構成されたロッド形状としてもよい。
ただし、液晶層２６の厚みを規定するスペーサーとしては、ビーズスペーサー２４に限定されず、例えば、フォトレジストを基材２１Ａ側に塗工して露光、現像することにより円柱形状等に作製してもよい。
なお、上述の説明では、スペーサーは、液晶用第２積層体２０Ｂに設けられる例を示したが、これに限定されるものでなく、液晶用第１積層体２０Ａ、液晶用第２積層体２０Ｂの両方、又は、液晶用第１積層体２０Ａにのみ設けられるようにしてもよい。
【００８５】
配向層２３Ａ、２３Ｂは、液晶分子群を一定方向に配列させるための膜である。例えば、配向層２３Ａ、２３Ｂは、光配向層として作製したり、光配向層に代えてラビング処理により配向層を作製したりしてもよいし、微細なライン状凹凸形状を賦型処理して配向層を作製してもよい。なお、配向層２３Ａ、２３Ｂの作製方法は、上述した方法に限らず、適宜異なる方法を用いてもよい。
本実施形態では、光二量化型の材料を使用する。光二量化型の材料としては、例えば、シンナメート、クマリン、ベンジリデンフタルイミジン、ベンジリデンアセトフェノン、ジフェニルアセチレン、スチルバゾール、ウラシル、キノリノン、マレインイミド、又は、シンナミリデン酢酸誘導体を有するポリマー等を挙げることができる。中でも、配向規制力が良好である点で、シンナメート、クマリンの一方又は両方を有するポリマーが好ましく用いられる。このような光二量化型の材料の具体例としては、例えば特開平９−１１８７１７号公報、特表平１０−５０６４２０号公報、特表２００３−５０５５６１号公報及びＷＯ２０１０／１５０７４８号公報に記載された化合物を挙げることができる。
また、本実施形態では、調光層２０は、配向層２３Ａ，２３Ｂを備える形態を示したが、これに限らず、配向層２３Ａ，２３Ｂを備えない形態としてもよい。
【００８６】
液晶層（調光材料としての液晶材料）２６には、二色性色素組成物を使用したゲストホスト液晶組成物を広く適用することができる。ゲストホスト液晶組成物にはカイラル剤を含有させるようにして、液晶材料を水平配向させた場合に液晶層２６の厚み方向に螺旋形状に配向させるようにしてもよい。なお、調光層２０において、液晶層２６を囲むように、シール材２５が配置されている。このシール材２５により、液晶用第１積層体２０Ａ、液晶用第２積層体２０Ｂが一体に保持され、液晶材料の漏出が防止される。シール材２５は、例えばエポキシ樹脂、アクリル樹脂等の熱硬化性樹脂や紫外線硬化性樹脂等を適用することができる。
【００８７】
調光層２０は、遮光時におけるゲストホスト液晶組成物の配向が電界印加時となるように配向層２３Ｂ，２３Ａを一定の方向にプレチルトに係る配向規制力を設定した垂直配向層に構成し、これによりノーマリークリアにより構成される。なお、この透光時の設定を電界印加時としてノーマリーダークにより構成してもよい。
ここで、ノーマリーダークとは、液晶に電圧がかかっていない時に透過率が最小となり、黒い画面になる構造である。ノーマリークリアとは、液晶に電圧がかかっていない時に透過率が最大となり、透明となる構造である。
【００８８】
なお、本実施形態の調光層２０は、ゲストホスト型の液晶セルとしたが、二色性色素組成物を用いない液晶セルとして構成してもよい。この場合、直線偏光層をさらに設けることで、調光セルとして機能させることができる。これについて、以下により詳しく説明する。
【００８９】
図１０は、第２実施形態のスクリーン１０の層構成の他の例を図９と同様にして示す図である。
図１０に示すスクリーン１０の液晶層２７は、図９に示したスクリーン１０の液晶層２６に用いた二色性色素組成物を使用したゲストホスト液晶組成物ではない液晶を用いている。以下、このタイプの調光層２０について、「非ゲストホスト型」と呼び、図２に示したタイプの調光層２０は、「ゲストホスト型」と呼ぶこととする。
【００９０】
液晶層２７には、重合性官能基を有していない液晶化合物として、ネマチック液晶化合物、スメクチック液晶化合物及びコレステリック液晶化合物を適用することができる。
ネマチック液晶化合物としては、例えば、ビフェニル系化合物、ターフェニル系化合物、フェニルシクロヘキシル系化合物、ビフェニルシクロヘキシル系化合物、フェニルビシクロヘキシル系化合物、トリフルオロ系化合物、安息香酸フェニル系化合物、シクロヘキシル安息香酸フェニル系化合物、フェニル安息香酸フェニル系化合物、ビシクロヘキシルカルボン酸フェニル系化合物、アゾメチン系化合物、アゾ系化合物、及びアゾオキシ系化合物、スチルベン系化合物、トラン系化合物、エステル系化合物、ビシクロヘキシル系化合物、フェニルピリミジン系化合物、ビフェニルピリミジン系化合物、ピリミジン系化合物、及びビフェニルエチン系化合物等を挙げることができる。
スメクチック液晶化合物としては、例えば、ポリアクリレート系、ポリメタクリレート系、ポリクロロアクリレート系、ポリオキシラン系、ポリシロキサン系、ポリエステル系等の強誘電性高分子液晶化合物を挙げることができる。
コレステリック液晶化合物としては、例えば、コレステリルリノレート、コレステリルオレエート、セルロース、セルロース誘導体、ポリペプチド等を挙げることができる。
また、市販品としては、例えばメルク社製ＭＬＣ２１６６等の液晶材料を適用することができる。
【００９１】
また、図１０に示す非ゲストホスト型の調光層２０は、直線偏光板２９Ａ，２９Ｂで両側を挟持した形態となっている。直線偏光板２９Ａ，２９Ｂを設けることにより、非ゲストホスト型の液晶を備える液晶層２７としても、調光機能を実現できる。
【００９２】
さらに、図１０に示す非ゲストホスト型の調光層２０は、スペーサー２８の形態を、図１０に示したゲストホスト型の調光層２０とは異なる形態を例示した。図１０に示すスペーサー２８は、フォトレジストにより製造される形態とした。スペーサー２８は、透明電極２２Ｂを製造して構成された基材２１Ｂの上に、フォトレジストを塗工して露光、現像することにより製造される。なお、このスペーサーの形態については、ゲストホスト型においてフォトレジストを用いて構成してもよいし、非ゲストホスト型においてビーズスペーサーを用いて構成してもよい。
また、液晶の駆動方式として、ＴＮ（Ｔｗｉｓｔｅｄ  Ｎｅｍａｔｉｃ）方式、ＶＡ（Ｖｅｒｔｉｃａｌ  Ａｌｉｇｎｍｅｎｔ）方式、ＩＰＳ（Ｉｎ−Ｐｌａｎｅ−Ｓｗｉｔｃｈｉｎｇ）方式等の各種駆動方式が知られているが、ゲストホスト型及び非ゲストホスト型のいずれにおいても、これら公知の駆動方式を適宜選択して用いることができる。
【００９３】
次に、本実施形態のスクリーン１０のより具体的な実施例を２種類例示し、その透過率と効果について説明する。
（実施例１）
実施例１のスクリーン１０は、調光層２０は、図９に示したゲストホスト型とした。
単位光学形状１２１は、配列ピッチＰが１００μｍである。
反射層１３は、アルミニウムの蒸着膜により形成され、厚さ約５Å、透過率７０％、反射率５％である。
基材層１１は、ＰＥＴ樹脂製であり、厚さｔ１１＝１００μｍとした。
第１光学形状層１２及び第２光学形状層１４は、ウレタンアクリレート系の紫外線硬化型樹脂（屈折率１．５２）を素材とした。
第１光学形状層１２と反射層１３と第２光学形状層１４とを合せた厚さｔ１２１３１４＝１００μｍとした。
第２光学形状層１４の背面側の面から反射層１３までの最短距離ｔ１４＝３００μｍとした。
粘着層３０は、厚さｔ３０＝１０μｍとした。
基材２１Ａ、２１Ｂは、ポリカーボネートフィルムを素材とし、厚さｔ２１＝１００μｍとした。
透明電極２２Ａ、２２Ｂは、ＩＴＯを素材とし、厚さｔ２２＝１００μｍとした。
配向層２３Ａ、２３Ｂは、ポリイミド樹脂を素材とし、厚さｔ２３＝０．１μｍとした。
液晶層２６は、二色性色素組成物を使用したゲストホスト液晶組成物を用いた液晶としており、厚さｔ２６＝６．２μｍとした。液晶層２６は、ノーマリークリアの構成である。
以上の構成により、反射層１３と液晶層２６との間の最短距離は、０．１ｍｍとなり、０．５ｍｍ以下に収まっている。
【００９４】
（実施例２）
実施例２のスクリーン１０については、実施例１と異なる点についてのみ説明する。
実施例２のスクリーン１０では、調光層２０は、図１０に示した非ゲストホスト型とした。
反射層１３は、誘電体多層膜により構成されており、具体的には、ＴｉＯ２と、ＳｉＯ２とを積層した構成とした。
直線偏光板２９Ａ，２９Ｂは、ポリビニルアルコール（ＰＶＡ）にヨウ素等を含浸させた後、延伸して直線偏光板としての光学的機能を果たす光学機能層が形成され、ＴＡＣ（トリアセチルセルロース）等の透明フィルム材による基材により光学機能層を挟持して作製される、厚さｔ２９＝２００μｍとした。
液晶層２７は、誘電率異方性が負の液晶を用いた液晶としており、厚さｔ２７＝３．５μｍとした。
なお、液晶層２７は、実施例１とは異なり、ノーマリーダークの構成である。
以上の構成により、反射層１３と液晶層２６との間の最短距離は、０．３ｍｍとなり、実施例２においても０．５ｍｍ以下に収まっている。
【００９５】
実施例１及び実施例２のいずれにおいても、反射層１３と液晶層２６との間の最短距離は、０．５ｍｍ以下としたので、製造時の貼り合わせを容易に行うことができ、かつ、厚さの均一性確保を容易に行うことができる。
【００９６】
図１１は、実施例１及び実施例２の透過率をまとめて示した図である。図１１中の調光層部分欄におけるＯＮ，ＯＦＦは、調光層２０への通電のＯＮ，ＯＦＦを示しており、実施例１のノーマリークリアと実施例２のノーマリーダークとで挙動が反対に構成されている。
図１１に示すように、実施例１では、調光層２０へ通電を行えば、スクリーン１０全体での透過率を１４％に下げることができ、映像を投影していない領域については僅かに背景を視認できるようにしながら、映像を投影する領域では、背景の影響を抑えてコントラストの高い映像を観察可能である。また、背景側への抜け光も抑えることができる。
また、実施例２では、調光層２０への通電をＯＦＦとすれば、背景からの透過光を略全て遮断することができ、背景の影響を略完全に排除して映像を観察することができる。なお、実施例２では、反射層１３の反射率が低下してしまうが、背景の影響がなくなるので、十分に良好な映像を観察できるが、映像源ＬＳの光量を高めるとより良好な映像を観察可能である。
【００９７】
図１１に示すように、反射層１３の構成と調光層２０の構成とを適切な条件で組み合わせることにより、調光層２０として例示した光吸収層の透過率が最も高くなる状態におけるスクリーン１０の全体における透過率は、１０％以上、５０％以下の範囲に設定することができる。よって、十分に背景の観察が可能である。また、光吸収層（調光層２０）の透過率が最も低くなる状態では、略背景の透過がない状態にすることも可能であり、背景の影響を殆ど受けることなく、映像の観察が可能である。
【００９８】
また、実施例１及び実施例２の双方とも、調光層２０が反射層を備える層と接合されて一体化されているので、両者の間に空気間隔部分が存在しない。これにより、図１１に示すように高い透過率を実現可能である。
また、調光層２０は、スクリーン１０の全面にわたって設けられており、スクリーン１０全体の透過率を変化させることができる。そして、調光層２０は、外光等の外部からの影響を受けることなく、透過率を変化させることができる。
さらに、実施例２の形態であれば、光源の偏光状態を揃えることにより、直線偏光板２９Ａ，２９Ｂによって抜け光の発生を防止できる。
【００９９】
以上説明したように、第２実施形態によれば、スクリーン１０は、調光層２０を備えているので、調光層２０への通電の切換によって光の透過率を選択的に変更することができる。よって、背景を透かして見えるようにしたい場合には透過率が高い状態とし、映像を見やすくしたい場合には透過率が低い状態とするといった使い方が可能となり、使い勝手がよい。
【０１００】
（第３実施形態）
図１２は、第３実施形態のスクリーン１０の層構成の一例を示す図である。
第３実施形態のスクリーン１０は、第２実施形態における調光層２０をより簡素化した調光層４０とした形態であり、この調光層４０以外の構成は、第２実施形態のスクリーン１０と同様である。よって、前述した第２実施形態と同様の機能を果たす部分には、同一の符号を付して、重複する説明を適宜省略する。
【０１０１】
第３実施形態の調光層４０は、感光物質を含んだ層であり、調光層４０に到達する紫外線量に応じて光の透過率が変化する。具体的には、調光層４０は、例えば、ハロゲン化銀を含む調光ガラス層としてもよいし、スピロオキサジンを含む調光樹脂層としてもよく、従来公知の感光物質を適宜利用することができる。
【０１０２】
以上説明したように、第３実施形態によれば、調光層４０は、感光物質を含む構成であるので、より簡易な構成によって、調光層を構成することができる。
【０１０３】
（第２実施形態及び第３実施形態の透過率）
上述した第２実施形態及び第３実施形態の調光層２０、４０の透過率は、利用用途に応じて適宜設定することができる。ここでは、具体的な使用形態を例示して、その場合の調光層２０、４０の好ましい透過率について、例示する。
【０１０４】
図１３は、第２実施形態の映像表示装置１を自動車のフロントウインドウに配置した例を車内側から見た自動車ＶＣの運転席周辺を示した図である。
図１４は、図１３におけるフロントウインドウ２のｂ−ｂ断面図である。
なお、図１４では、第２実施形態のスクリーン１０を用いる例を例示しているが、第３実施形態のスクリーン１０も、同様に配置して用いることができる。
【０１０５】
図１３及び図１４に示す使用例では、映像表示装置１は、自動車ＶＣのフロントウインドウ２及びその近傍に配置されている。具体的には、映像表示装置１は、スクリーン１０が自動車ＶＣのフロントウインドウ２の全面に配置され、映像源ＬＳが自動車ＶＣの内装パネル３の内部に配置されている。ハンドル４の手前側に運転者が着座する。これにより、本実施形態の映像表示装置１は、自動車の速度や、方向指示器の状態、障害物の接近等の注意喚起等の表示をフロントウインドウ２の運転者の視界を妨げない位置に表示することができ、自動車ＶＣの搭乗者のうち主に運転手は、視線を大きく逸らすことなく、各種情報を確認することができる。
【０１０６】
なお、フロントウインドウ２に設けられたスクリーン１０は、映像源ＬＳ（プロジェクタ）から投射された映像光を拡散反射することにより映像を表示する。そのため、液晶表示デバイス、有機ＥＬデバイス等の映像源から映像光を投射しても、スクリーン１０には鮮明な映像を表示することはできない。
【０１０７】
フロントウインドウ２は、図１４に示すように、車内側から順に、第１ガラス板６１、第１中間層６２、スクリーン１０、第２中間層６３、第２ガラス板６４が積層される、いわゆる合わせガラスの形態により構成されている。
第１ガラス板６１は、フロントウインドウ２の最も運転者側（車内側）に配置される透明な部材である。第１ガラス板６１としては、例えば、ソーダライムガラス（青板ガラス）、硼珪酸ガラス（白板ガラス）、石英ガラス、ソーダガラス、カリガラス等の材料を用いることができる。また、第１ガラス板６１の厚みは、例えば、２〜３ｍｍの範囲とすることが好ましい。
【０１０８】
第１中間層６２は、第１ガラス板６１とスクリーン１０との間に設けられる層である。第１ガラス板６１及びスクリーン１０は、第１中間層６２により接合される。第１中間層６２は、フロントウインドウ２の破損時に、第１ガラス板６１の破片が飛散するのを防止するために設けられている。第１中間層６２としては、例えば、ＰＶＢ（ポリビニルブリラール）を用いることができる。第１中間層６２の厚みは、０．３〜０．８ｍｍの範囲とすることが好ましい。また、第１中間層６２の屈折率は、第１ガラス板６１、スクリーン１０の第１光学形状層１２と同等であることが望ましい。
【０１０９】
第２中間層６３は、第２ガラス板６４とスクリーン１０との間に設けられる層である。第２ガラス板６４及びスクリーン１０は、第２中間層６３により接合される。第２中間層６３は、フロントウインドウ２の破損時に、第２ガラス板６４の破片が飛散するのを防止するために設けられている。第２中間層６３は、第１中間層６２と同様に、例えば、ＰＶＢ（ポリビニルブリラール）を用いることができ、第２中間層６３の厚みは、０．３〜０．８ｍｍの範囲とすることが好ましい。また、第２中間層６３の屈折率は、第２ガラス板６４、スクリーン１０の第２光学形状層１４と同等であることが望ましい。
【０１１０】
第２ガラス板６４は、フロントウインドウ２の最も車外側に配置される透明な部材である。第２ガラス板６４は、第１ガラス板６１と同様に、例えば、ソーダライムガラス（青板ガラス）、硼珪酸ガラス（白板ガラス）、石英ガラス、ソーダガラス、カリガラス等の材料を用いることができる。また、第２ガラス板６４の厚みは、例えば、２〜３ｍｍの範囲とすることが好ましい。
【０１１１】
なお、本実施形態のスクリーン１０は、上述のように、中間層（３２、３３）を介して２枚のガラス板（３１、３４）で挟持される合わせガラスの形態で構成されるフロントウインドウ２に内蔵される例で説明したがこれに限定されるものでない。スクリーン１０は、フロントウインドウの車内側の面や、車外側の面に接合層を介して貼付されるようにしてもよい。
【０１１２】
以上のような構成によって、自動車ＶＣの搭乗者（運転手）は、映像光が投射されていない場合、フロントウインドウ２の全面を通して、車外の景色を観察することができ、映像光がフロントウインドウ２（スクリーン１０）の少なくとも一部に投射されている場合は、映像光が投射されている部分については映像光を視認することができ、それ以外の部分については、車外の景色を観察することができる。また、映像光が投射されている部分についても、若干の車外の景色を観察することができる、いわゆるシースルーの状態で映像を確認することができる。
【０１１３】
ここで、このような自動車等の乗り物のウィンドウにスクリーン１０を適用する場合には、調光層２０、４０の光吸収率については、以下のような範囲とすることが望ましい。
まず、スクリーン１０全体の光吸収率が低すぎると、車外からの外光によってスクリーン１０が白濁して見える場合がある。この白濁現象を抑制するために、調光層の光吸収率が固定であるとすると、光吸収率は、５０％以上であることが望ましい。
また、映像光の非投射時に前方の視界が良好であること、及び、映像光の投射時に映像を容易に認識可能であること、の全てを満たすために、以下の条件を満たすことが望ましい。
調光層２０、４０の光吸収率は、映像光の非投射時には、低い方が望ましく、０％であることが最も望ましい。
調光層２０、４０の光吸収率は、映像光の投射時には、５０％以上が望ましく、７０％以上であることがさらに望ましい。
調光層２０、４０は、光吸収率が可変であり、上記２つの条件の少なくとも一方、より好ましくは、双方を満たすことが望ましい。
【０１１４】
（第４実施形態）
図１５は、第４実施形態のスクリーン１０の層構成の一例を示す図である。
第４実施形態のスクリーン１０は、第３実施形態における調光層２０をより簡素化した光吸収層６０とした形態であり、この光吸収層６０以外の構成は、第３実施形態のスクリーン１０と同様である。よって、前述した第３実施形態と同様の機能を果たす部分には、同一の符号を付して、重複する説明を適宜省略する。
【０１１５】
第４実施形態の光吸収層６０は、灰色や黒色等の染料や顔料等の着色材等により、着色が施され、光吸収性を有する。光吸収層６０は、スクリーン１０の光の透過率が所定の値となるように、その着色の濃度や層の厚さが設定されている。そして、光吸収層６０は、スクリーン１０に入射する照明光等の不要な外光や迷光を吸収し、映像のコントラストを向上させる機能を有する。なお、第１実施形態における保護層１５に光吸収機能を持たせても、同様な効果を得ることができる。
【０１１６】
以上説明したように、第４実施形態によれば、光吸収層６０を備えるので、より簡易な構成によって、映像のコントラストを向上させることができる。
【０１１７】
（第５実施形態）
図１６は、第５実施形態のスクリーン１０の層構成の一例を示す図である。
図１７は、第５実施形態の反射層１３を示す図である。
図１８は、第５実施形態の反射層１３の別な形態を示す図である。
第５実施形態のスクリーン１０は、反射層１３の構成が第１実施形態と異なる他は、第１実施形態のスクリーン１０と同様な構成をしている。よって、反射層１３の説明の他は、第１実施形態と同様の機能を果たす部分には、同一の符号を付して、重複する説明を適宜省略する。
【０１１８】
第５実施形態の反射層１３は、図１７に示すように、第１斜面１２１ａ上において複数の島状に形成されている。ここで、複数の島状とは、第１斜面１２１ａ上において、円形、楕円、矩形等の多角形、その他の任意の形状が、複数、規則的又は不規則的に配置されている状態をいう。
本実施形態の反射層１３は、複数の円形状の反射膜１３ａが、第１斜面１２１ａに沿って規則的に配置されている。第１斜面１２１ａ上の反射層１３（複数の円形状の反射膜１３ａ）が形成されていない部分は、入射した光を透過する光透過部となる。
【０１１９】
第１実施形態等に示した透過型のスクリーンの反射層は、第１斜面の全面に設けられていたため、反射率及び透過率の調整は、誘電体膜の場合、使用する材料を変更等することによって行うことができた。しかし、材料の変更だけでは反射率及び透過率を十分に所望な値に調整することができない場合があった。
これに対して、本実施形態のスクリーン１０は、第１斜面１２１ａの面積に対する複数の円形状の反射膜１３ａが占める面積の割合を調整することによって、スクリーン１０に入射する光の反射率及び透過率を調整することができる。これにより、上述のような誘電体膜の材料を変更する等の調整が不要になり、より効率よく反射層の反射率及び透過率を調整することができる。
【０１２０】
なお、図１７では、円形状の反射膜１３ａの直径が、単位光学形状１２１の配列ピッチＰ（第１斜面１２１ａの配列方向の幅）よりも小さく、第１斜面１２１ａ上に複数の円形状の反射膜１３ａが形成される例を示したが、これに限定されるものでない。例えば、図１８に示すように、円形状の反射膜１３ａの直径が、単位光学形状１２１の配列ピッチＰ１（第１斜面１２１ａの配列方向の幅）よりも大きく、円形状の反射膜１３ａが、隣接する第１斜面１２１ａ上にまたがるようにして形成されるようにしてもよい。なお、図１７に示す形態とした方が、図１８に示す形態よりも島状の反射膜それぞれが小さく形成できるので、観察者から、反射膜の形状が視認され難く、またモアレも生じ難い。
【０１２１】
また、図１６では省略しているが、第４本実施形態のスクリーン１０においても、第１斜面１２１ａのうち反射層１３（複数の円形状の反射膜１３ａ）が形成される部位には、微細かつ不規則な凹凸形状が形成されており、反射層１３は、この微細かつ不規則な凹凸形状に追従して形成され、その凹凸形状を維持した状態で成膜されている。そのため、反射層１３の第１光学形状層１２側（映像源側）の面及び第２光学形状層１４側（背面側）の面は、微細かつ不規則な凹凸形状を有する粗面となっている。これにより、反射層１３は、入射した光の一部を微細かつ不規則な凹凸形状により拡散して反射させ、反射しない他の光を拡散させることなく透過させる。
ここで、島状の反射膜１３ａの大きさ（平面視における面積、以下同様）は、微細かつ不規則な凹凸形状の凸部１つの大きさ、及び、凹部１つの大きさよりも大きく構成されている。したがって、島状の反射膜１３ａは、複数の凸部及び凹部が含まれて構成されている。仮に、島状の反射膜１３ａが凸部及び凹部よりも小さくなってしまうと、反射膜１３ａによって反射される光の向きの分布のばらつきが大きくなり、第１斜面１２１ａによる光の偏向作用を十分に得ることができず、適切な映像を観察することができなくなるからである。
なお、この凹凸形状は、微細な凸形状と凹形状とが２次元方向に不規則に配列されて形成されており、凸形状及び凹形状は、その大きさや形状、高さ等は不規則である。
【０１２２】
反射層１３は、第１実施形態と同様に金属を用いた構成と、誘電体多層膜を用いた構成と、単層の誘電体膜を用いた構成と、の３種類のいずれとしてもよい。また、反射層１３は、金属膜、誘電体膜を単層又は複層として適宜組み合わせて用いることができる。
反射層１３は、第１斜面１２１ａ上に複数の円形状の反射膜１３ａが規則的に配置される例を示したが、これに限定されるものでなく、不規則に配置されるようにしたり、円形以外の形状の反射膜が規則的又は不規則に配置されるようにしたりしてもよい。
なお、本実施形態では、映像光の観察者側への反射に直接寄与しないので、反射層１３が、第２斜面１２１ｂ上に設けられていない例を示すが、これに限定されるものでなく、反射層１３が第２斜面１２１ｂ上にも設けられるようにしてもよい。
【０１２３】
第１実施形態と同様に、第２光学形状層１４は、第１光学形状層１２及び反射層１３の背面側（−Ｚ側）に設けられた光透過性を有する層である。
上述のように、反射層１３は、複数の島状（円形状の反射膜１３ａ）により構成されており、第１光学形状層１２の第１斜面１２１ａのうち、円形状の反射膜１３ａが形成されていない部分（光透過部）は、第１光学形状層１２と第２光学形状層１４とが直接接触することとなり、第１光学形状層１２に対する第２光学形状層１４の密着をより強固にすることができる。
【０１２４】
第５実施形態のスクリーン１０は、例えば、以下のような製造方法により製造される。
図１９は、第５実施形態の反射層１３の製造方法の一例を示す図である。
まず、基材層１１を用意し、その一方の面に、単位光学形状１２１を賦形する成形型に紫外線硬化型樹脂を充填した状態で積層し、紫外線を照射して紫外線硬化型樹脂を硬化させるＵＶ成形法により第１光学形状層１２を形成する。このとき、単位光学形状１２１を賦形する成形型の第１斜面１２１ａを賦形する面には、微細かつ不規則な凹凸形状が形成されている。この微細かつ不規則な凹凸形状は、成形型の第１斜面１２１ａを賦形する面に、めっき処理やエッチング処理、ブラスト処理等を１回以上行うことによって形成できる。
【０１２５】
それから、次の反射層１３の形成に備えて、図１９に示すように、反射層１３を構成する複数の円形状の反射膜１３ａに対応する位置に貫通孔Ｈが設けられたマスクＭを、第１光学形状層１２上に積層配置する。
なお、作製された基材層１１及び第１光学形状層１２からなる積層体がウェブ状である場合、この積層体は、反射層１３の形成工程の前に、ロール体に巻き取られる場合がある。このような場合、上記積層体がマスクＭとともに巻き取られていれば、第１光学形状層１２が汚損されたり、傷付いたりするのを抑制することができ、その後の反射層１３の形成工程において、反射膜の蒸着不良等の不具合が生じてしまうのを極力防ぐことができる。
【０１２６】
続いて、単位光学形状１２１上にマスクＭを配置した状態で、例えば、誘電体膜を蒸着又はスパッタ加工する等により、所定の厚さの反射層１３（複数の円形状の反射膜１３ａ）が第１斜面１２１ａ上に形成される。
また、反射層１３は、これに限らず、例えば、アルミニウム、クロム（Ｃｒ）、銀、ニッケル等の光反射性の高い金属を蒸着したり、光反射性の高い金属をスパッタリングしたり、金属箔を転写したりする等により形成してもよい。例えば、反射層１３にアルミニウムを用いる場合、膜厚を十分に厚く（０．１μｍ以上）することにより、入射光の反射率が７０〜８０％程度となり、入射光の吸収率が約２０％程度となる。この場合において、第１斜面１２１ａ上における反射層１３の面積の占める割合を２０％としたとき、第１斜面１２１ａの全面における反射層１３による反射率が１４〜１６％、吸収率が約４％となり、反射層１３における入射光の吸収を極力抑制した上で、入射光の反射及び透過の割合を調整することができる。また、このように、反射層１３の膜厚を十分に厚くすることにより、膜厚の変動が起因となる斑模様等が生じてしまうのを防ぐことができる。
なお、金属材料による反射層１３の反射率（透過率）は、その膜厚を変化させることにより調整することができる。具体的には膜厚を薄くすれば、透過率が向上するが、反射率が低下し、膜厚を厚くすれば、反射率が向上するが、透過率は低下する。
【０１２７】
次に、反射層１３の上から、単位光学形状１２１間の谷部を充填して平面状となるように紫外線硬化型樹脂を塗布し、紫外線を照射して紫外線硬化型樹脂を硬化させ、第２光学形状層１４を形成する。以上により、スクリーン１０が完成する。
なお、単位光学形状１２１の第１斜面１２１ａには、上述したように微細な凹凸形状が形成されているので、第１斜面１２１ａ上に形成された反射層１３の両面には微細な凹凸形状が形成される。また、第１斜面１２１ａ上の反射層１３が形成されていない部分の凹凸形状は、第２光学形状層１４の樹脂が充填されることによって殆ど目立たなくなり、完成したスクリーン１０においては、第１斜面１２１ａの反射層１３が形成されていない部分に入射した光を拡散させることなく透過させることができる。
【０１２８】
以上説明したように、第５実施形態のスクリーン１０は、単位光学形状１２１の映像光が入射する位置（第１斜面１２１ａ）に、複数の島状に形成される反射層１３、すなわち、複数の円形状の反射膜１３ａが形成されている。これにより、映像源ＬＳから投射された映像光を、反射層１３により観察者Ｏ１側に反射させるとともに、スクリーン１０の背面側の景色等の外光の一部を、反射層及び単位光学形状の反射層が形成されていない部分（光透過部）を拡散させることなく透過させて観察者Ｏ１側に出射することができる。そのため、観察者Ｏ１に対して、映像源ＬＳの映像を表示するとともに、スクリーン１０の背面側の景色をより鮮明に観察させることができる。
【０１２９】
（第６実施形態）
図２０は、第６実施形態のスクリーン１００の層構成を説明する図である。図２０では、スクリーン１００の画面中央となる点Ａを通り、画面上下方向（Ｙ方向）及び厚み方向（Ｚ方向）に平行な断面を示している。
第６実施形態のスクリーン１００は、第５実施形態のスクリーン１０が２枚（以下、第１スクリーン部１０Ａ、第２スクリーン部１０Ｂという）、接合層１７を介して接合されている点以外は、前述の第５実施形態のスクリーン１０と同様の形態である。したがって、第１実施形態と同様の機能を果たす部分には、同一の符号又は末尾に同一の符号を付して、重複する説明を適宜省略する。
【０１３０】
第６実施形態のスクリーン１００は、図２０に示すように、第１スクリーン部１０Ａと、第１スクリーン部１０Ａの背面側に位置する第２スクリーン部１０Ｂとを備え、これらが接合層１７によって一体に接合されている。より具体的には、第１スクリーン部１０Ａの背面側の第２光学形状層１４と、第２スクリーン部１０Ｂの映像源側の基材層１１とが、接合層１７によって接合されている。
接合層１７は、光透過性の高い粘着剤又は接着剤により形成された層であり、スクリーン１００の厚み方向において、第１スクリーン部１０Ａと第２スクリーン部１０Ｂとの間に設けられている。この接合層１７は、第１スクリーン部１０Ａと第２スクリーン部１０Ｂとを一体に接合している。
本実施形態のスクリーン１００の第１スクリーン部１０Ａ及び第２スクリーン部１０Ｂは、それぞれの光学的中心が一致するようにして互いに接合されている。
また、第１スクリーン部１０Ａ及び第２スクリーン部１０Ｂの各単位光学形状は、同一の形状に形成されている。したがって、各スクリーン部の焦点位置（集光点）は、略一致する。
【０１３１】
ここで、透明性を有するスクリーンは、投射瞳径が小さい映像源等により高輝度の映像光を投射した場合には、シンチレーション（スペックル）が生じやすい傾向を有する。
しかし、本実施形態のスクリーン１００では、第１スクリーン部１０Ａと第２スクリーン部１０Ｂとは、同じ表示領域に同じ映像を表示しており、かつ、同じ映像を表示する光が、異なる２つの光路を通ってスクリーン１０から出射するので、シンチレーション（スペックル）が低減される。
よって、映像のシンチレーション（スペックル）を低減し、明るく良好な映像を表示できるスクリーン１００及び映像表示装置１とすることができる。
また、本実施形態のスクリーン１００は、上述の第５実施形態のスクリーン１０と同様の効果を奏する。
【０１３２】
（第６実施形態の別な形態１）
上述の第６実施形態では、第１スクリーン部１０Ａ及び第２スクリーン部１０Ｂの焦点位置（集光点）が、略一致する例を示したが、これに限らず、以下のような形態としてもよい。
図２１は、第６実施形態のスクリーン１００の別の形態を説明する図である。図２１は、別な形態のスクリーン１００の第１スクリーン部１０Ａと第２スクリーン部１０Ｂとの焦点位置（集光点）を示す図である。図２１では、スクリーン１００を画面左右方向の右側（＋Ｘ側）から見た様子を示している。
【０１３３】
スクリーン１００は、第１スクリーン部１０Ａ及び第２スクリーン部１０Ｂの焦点位置（集光点）が、厚み方向（Ｚ方向）において異なるようにしてもよい。
本実施形態では、図２１に示すように、第２スクリーン部１０Ｂの集光点Ｆ２は、第１スクリーン部１０Ａの集光点Ｆ１よりも厚み方向（Ｚ方向）においてスクリーン１００から離れた側（＋Ｚ側）に位置している。すなわち、本実施形態のスクリーン１００では、第２スクリーン部１０Ｂの第１光学形状層１２が有するサーキュラーフレネルレンズ形状は、第１スクリーン部１０Ａの第１光学形状層１２が有するサーキュラーフレネルレンズ形状とは、その形状や光学設計が異なり、集光点の位置が異なる設計となっている。
【０１３４】
そのため、第２スクリーン部１０Ｂの第１光学形状層１２の単位光学形状１２１を形成する第１斜面、第２斜面の角度θ１、θ２等は、この集光点Ｆ２に対応して設計されている。したがって、光学的中心（Ｃ１）からの距離ｒが等しい点に位置する第１スクリーン部１０Ａの単位光学形状１２１と第２スクリーン部１０Ｂの単位光学形状１２１とでは、それぞれ角度θ１が相違している。
【０１３５】
また、この形態では、第２スクリーン部１０Ｂの単位光学形状１２１の配列ピッチＰ２の値は、第１スクリーン部１０Ａの単位光学形状１２１の配列ピッチＰ１の値とは異なり、例えば、配列ピッチＰ１の値の１．４倍となっている。このように、第１スクリーン部１０Ａの単位光学形状１２１の配列ピッチＰ１と第２スクリーン部１０Ｂの単位光学形状１２１の配列ピッチＰ２とを異ならせることにより、第１スクリーン部１０Ａの表示する映像の映像光と第２スクリーン部１０Ｂが表示する映像の映像光との干渉によるモアレを改善できる。モアレ改善のためには、一方の配列ピッチを他方の配列ピッチの１．４倍や２．４倍とすることが好ましい。
なお、この形態では、配列ピッチＰ１と配列ピッチＰ２とは異なる値である例を示したが、これに限らず、同じ値としてもよい。
【０１３６】
このような形態とすることにより、第１スクリーン部１０Ａと第２スクリーン部１０Ｂとが表示する同じ映像を、異なる位置に集光させることができ、異なる位置の観察者に良好な映像を表示できる。
したがって、この別な形態によれば、前述の第６実施形態によって得られる効果に加えて、さらに、異なる２つの位置に向けて映像光を集光でき、異なる２つの位置の観察者に良好な映像を表示できる。
【０１３７】
なお、上述のように異なる２つの位置へ映像光を集光する場合には、第１スクリーン部１０Ａ及び第２スクリーン部１０Ｂの反射光の輝度分布（視野角分布）において、ピーク輝度に対する半値全幅αＨが２０°以下であることが好ましい。これにより、映像光の集光性を高めて、集光点に位置する観察者により明るく明瞭な映像を表示することができる。
【０１３８】
（第６実施形態の別な形態２）
図２２は、第６実施形態のスクリーン１００の別な形態２を説明する図でありスクリーン１００を画面上下方向の上側から見た図である。
図２２に示すように、第１スクリーン部１０Ａと第２スクリーン部１０Ｂの焦点位置（集光点）Ｆ１，Ｆ２は、画面左右方向（Ｘ方向）において異なっていてもよい。このような形態とすることにより、画面左右方向の視野角を広げることができる。また、このような形態は、例えば、画面左右方向の寸法が画面上下方向の寸法より大きい横長のスクリーンにおいて好適である。
【０１３９】
図２３は、第６実施形態のスクリーン１００の別な形態２を説明する図でありスクリーン１００を画面左右方向の右側から見た図である。
図２３に示すように、第１スクリーン部１０Ａの集光点Ｆ１と第２スクリーン部１０Ｂの集光点Ｆ２とは、画面上下方向（Ｙ方向）において異なっていてもよい。このような形態とすることにより、画面上下方向の視野角を広げることがでる。また、このような形態は、例えば、画面上下方向の寸法が画面左右方向の寸法より大きい縦長のスクリーンにおいて好適である。
また、集光点Ｆ１，Ｆ２は、画面左右方向（Ｘ方向）及び厚み方向（奥行き方向、Ｚ方向）で異なっていてもよいし、画面上下方向（Ｙ方向）及び奥行き方向（Ｚ方向）で異なっていてもよいし、画面上下方向（Ｙ方向）及び画面左右方向（Ｘ方向）で異なっていてもよい。
また、集光点Ｆ１，Ｆ２は、いずれか一方が無限遠となっていてもよい。
【０１４０】
このように集光点Ｆ１，Ｆ２が異なる場合には、それに合わせて、第１スクリーン部１０Ａの第１光学形状層１２及び第２スクリーン部１０Ｂの第１光学形状層１２のサーキュラーフレネルレンズ形状を設計する。したがって、フレネルセンターとなる光学的中心は、その設計に応じて、スクリーン面の法線方向から見て一致していてもよいし、一致していなくともよい。
【０１４１】
例えば、第１スクリーン部１０Ａの第１光学形状層１２と第２スクリーン部１０Ｂの第１光学形状層１２とは、サーキュラーフレネルレンズ形状は同じであるが、そのフレネルセンターとなる点（光学的中心）がスクリーン面の法線方向から見て異なる位置にあってもよい。また、第１スクリーン部１０Ａの第１光学形状層１２と第２スクリーン部１０Ｂの第１光学形状層１２とは、サーキュラーフレネルレンズ形状が異なり、さらに、そのフレネルセンターとなる点（光学的中心）がスクリーン面の法線方向から見て異なる位置にある形態でもよい。
さらに、例えば、集光点Ｆ１，Ｆ２の位置が一致する（又は、略一致する）が、各スクリーン部の第１斜面の角度θ１の角度分布や、光学的中心の位置が異なる形態としてもよい。
なお、第６実施形態では、第５実施形態のスクリーン１０が２枚（第１スクリーン部１０Ａと第２スクリーン部１０Ｂ）、接合層１７を介して接合されている形態を例示したが、スクリーンを複数枚設けることと同様な構成は、例えば、反射層が当該反射スクリーンの厚み方向において所定の間隔を空けて複数層設けられている形態として実現してもよい。ここで、反射層が所定の間隔を空けて独立して複数層積層とは、多層膜反射層のような形態ではなく、映像光に対して反射層として作用する独立した反射層を複数層設けることを指している。
【０１４２】
（第７実施形態）
図２４は、第７実施形態の映像表示装置１を示す斜視図である。なお、図２４では、理解を容易にするために、スクリーン１０の表面に単位光学形状１２１のサーキュラーフレネルレンズ形状に相当する円弧形状を併記している。
図２５は、第７実施形態の映像表示装置１を上面から見た図である。
なお、第７実施形態のスクリーン１０は、上述した各実施形態のスクリーン１０と同様な構成を適宜利用するものとする。よって、スクリーン１０の具体的な形態の説明は省略する。
上述した各実施形態では、単位光学形状１２１の配列方向を上下方向としてスクリーン１０を使用する形態を例示して説明した。第７実施形態では、単位光学形状１２１の配列方向を左右方向（水平方向）としてスクリーン１０を使用する。よって、第７実施形態では、映像源ＬＳは、スクリーン１０の斜め側方に配置される。スクリーン１０では、単位光学形状１２１の配列方向における光の拡散作用は、配列方向に直交する方向における光の拡散作用よりも大きい。したがって、第７実施形態では、観察者Ｏ１の位置が左右方向にずれた場合にも、良好な映像を提供できる範囲を拡大することができる。
【０１４３】
（第８実施形態）
図２６は、第８実施形態のスクリーン１０の層構成の一例を示す図である。
第８実施形態のスクリーン１０は、第３実施形態における調光層４０を改良した調光層２１０とした形態であり、この調光層２１０の構成と、励起光源２２０とを備える他は、第３実施形態のスクリーン１０と同様である。よって、前述した第３実施形態と同様の機能を果たす部分には、同一の符号を付して、重複する説明を適宜省略する。
【０１４４】
調光層２１０と励起光源２２０とは、調光部２００を構成しており、この調光部２００は、不図示の制御部によって励起光源２２０が制御されることにより、フォトクロミック層２１１の透過率を調整することができる構成となっている。
調光層２１０は、フォトクロミック層２１１と、第１遮蔽層２１２と、第２遮蔽層２１３と、導光層２１４とを備えている。
【０１４５】
フォトクロミック層２１１は、特定の波長領域の励起光を受光すると透過率が変化する光応答性を備えた層である。本実施形態のフォトクロミック層２１１は、通常は可視光の透過率が高く可視光に対して略透明であり、紫外光を受光することによりグレー又は黒色に変色して可視光の透過率が低下した状態となる。また、紫外光を受光したフォトクロミック層２１１は、紫外光の受光が終了すると、徐々に可視光の透過率が上昇して透明な状態に戻る。
フォトクロミック層２１１は、フォトクロミック材料（感光物質）を含有する樹脂により構成されている。フォトクロミック材料としては、例えば、ジアリールエテン系化合物、スピロピラン系化合物、スピロペリミジン系化合物、フルギド系化合物、ヘキサアリールビイミダゾール系化合物、ナフトピラン系化合物等が挙げられるが、これらに限らず、従来公知のフォトクロミック材料を適宜利用することができる。
【０１４６】
本実施形態のフォトクロミック層２１１は、紫外光により変色されていない状態の垂直に入射する可視光の最大透過率が４３０ｎｍ〜７００ｎｍで８０％であり、紫外光によって最も濃く変色された状態の最小透過率が４３０ｎｍ〜７００ｎｍで２０％である。
【０１４７】
第１遮蔽層２１２は、フォトクロミック層２１１の映像源側に配置され、励起光である紫外光の透過を遮蔽する層である。より具体的には、第１遮蔽層２１２は、紫外線吸収層として構成してもよいし、紫外線反射層として構成してもよい。第１遮蔽層２１２は、遮断する紫外光以外の帯域の光は透過する（透過率が十分に高い）ので、可視光に対しては略透明である。本実施形態では、第１遮蔽層２１２は、調光層２１０の映像源側の最表面（粘着層３０と接する位置）に配置されている。
【０１４８】
第２遮蔽層２１３は、フォトクロミック層２１１の背面側に配置され、励起光である紫外光の透過を遮蔽する層である。より具体的には、第２遮蔽層２１３は、紫外線吸収層として構成してもよいし、紫外線反射層として構成してもよい。第２遮蔽層２１３は、遮断する紫外光以外の帯域の光は透過する（透過率が十分に高い）ので、可視光に対しては略透明である。本実施形態では、第２遮蔽層２１３は、調光層２１０の背面側の最表面に配置されている。
【０１４９】
本実施形態では、第１遮蔽層２１２及び第２遮蔽層２１３は、同一の構成となっており、紫外線吸収層として構成されており、垂直に入射する２８０ｎｍ〜３８０ｎｍの紫外光の９０％以上を遮蔽（吸収）する。より好ましくは、第１遮蔽層２１２及び第２遮蔽層２１３は、垂直に入射する２８０ｎｍ〜３８０ｎｍの紫外光の９５％以上を遮蔽（吸収）するとよい。
【０１５０】
第１遮蔽層２１２及び第２遮蔽層２１３によってフォトクロミック層２１１を挟んで構成されていることにより、調光層２１０へ映像源側及び背面側から到達する紫外光は、その殆どが第１遮蔽層２１２及び第２遮蔽層２１３によって遮蔽され、フォトクロミック層２１１へは到達しない。よって、フォトクロミック層２１１は、外来光や映像光によっては透過率の変化を生じない。
【０１５１】
導光層２１４は、第１遮蔽層２１２と第２遮蔽層２１３との間に配置され、調光層２１０の端部から入射する光を導光して少なくとも一部の光をフォトクロミック層２１１側へ出射する。本実施形態では、導光層２１４は、フォトクロミック層２１１よりも映像源側に配置されている。
導光層２１４は、高屈折率層２１５と、第１低屈折率層２１６と、第２低屈折率層２１７とを有している。
【０１５２】
高屈折率層２１５は、導光される励起光（本実施形態では、紫外光）が導光される領域であり、第１低屈折率層２１６及び第２低屈折率層２１７の屈折率よりも屈折率が高い。また、高屈折率層２１５は、可視光及び励起光である紫外光の透過率が高い材料を用いて形成することが望ましい。
第１低屈折率層２１６は、高屈折率層２１５の映像源側に隣接して配置され、高屈折率層２１５よりも屈折率が低い。
第２低屈折率層２１７は、高屈折率層２１５の背面側に隣接して配置され、高屈折率層２１５よりも屈折率が低い。
第１低屈折率層２１６及び第２低屈折率層２１７は、いずれも、可視光及び励起光である紫外光の透過率が高い材料を用いて形成することが望ましい。本実施形態では、第１低屈折率層２１６及び第２低屈折率層２１７は、同一の素材により構成されている。
導光層２１４は、上述したような構成、すなわち、高屈折率層２１５を第１低屈折率層２１６及び第２低屈折率層２１７によって挟み込む構成とすることにより、高屈折率層２１５と第１低屈折率層２１６との界面、及び、高屈折率層２１５と第２低屈折率層２１７との界面において、臨界角よりも大きな角度でこれらの界面に到達する励起光源２２０からの励起光が全反射される。これにより、導光方向（図２６中の下から上に向かう方向）へと励起光が導光される。
【０１５３】
また、導光層２１４は、導光する光の一部の進む向きを変える進路変更部２１５ａを備えている。本実施形態の進路変更部２１５ａは、高屈折率層２１５の映像源側に設けられた溝形状として構成されている。この進路変更部２１５ａは、導光方向に直交する方向、すなわち、画面左右方向に溝形状が同一形状を維持して延在している。また、進路変更部２１５ａは、導光方向に沿って、複数が間隔を空けて配置されている。本実施形態の進路変更部２１５ａは、図２６に示す断面形状が矩形形状としたが、断面形状が三角形形状であってもよいし、半円形状や楕円形状の一部形状等、その形状は適宜変更してもよい。
また、進路変更部２１５ａの溝形状の内部には、例えば、第１低屈折率層２１６を形成する樹脂が充填された構成としてもよいし、他の樹脂を充填してもよい。ただし、進路変更部２１５ａの溝形状の内部を空隙としてしまうと、結露する等して進路変更部２１５ａが視認されやすくなる恐れがあるので、何らかの樹脂により充填することが望ましい。
【０１５４】
励起光源２２０は、調光層２１０の端部２１０ａに配置されており、励起光となる紫外光を発光し、端部２１０ａへ励起光を照射する。端部２１０ａへ照射された励起光は、端部２１０ａから高屈折率層２１５内へ入射して、導光方向へ進む。本実施形態では、励起光源２２０は、点光源のＬＥＤ（発光ダイオード）光源を複数配置した。
【０１５５】
端部２１０ａについては、図示しないが、高屈折率層２１５の端部以外の端部、特に、フォトクロミック層２１１の端部については、励起光が直接入射しないように遮光膜や遮光部材等を配置することが望ましい。また、端部２１０ａと対向する側の端部２１０ｂや、調光層２１０の導光方向に沿って延びる画面左右の端部については、例えば、励起光を反射する紫外光反射材料を配置して励起光を戻すようにしてもよいし、励起光を吸収する紫外光反射材料を配置してもよい。
【０１５６】
励起光源２２０が発光すると、励起光が端部２１０ａから入射して、図２６中の矢印のように進む。高屈折率層２１５内を進む励起光は、先に説明したように、高屈折率層２１５と第１低屈折率層２１６との界面、及び、高屈折率層２１５と第２低屈折率層２１７との界面において、臨界角よりも大きな角度でこれらの界面に到達すると全反射される。これを繰り返すことにより、導光方向へと励起光が導光される。また、進路変更部２１５ａに到達した励起光は、その進む方向が大きく変更される。ここで、進路変更部２１５ａによって変更される励起光の進む向きは様々であるが、一部の光は、高屈折率層２１５と第２低屈折率層２１７との界面に臨界角よりも小さい角度で入射する。この励起光は、この界面を通過して導光層２１４から出射して、フォトクロミック層２１１へと到達して、フォトクロミック層２１１の透過率が低下する。
【０１５７】
上述したように進路変更部２１５ａは、励起光の進路を変更することによりフォトクロミック層２１１へ励起光を進める。よって、進路変更部２１５ａへ励起光が当たる程度によってフォトクロミック層２１１へ向かう励起光の分布具合が変わる。フォトクロミック層２１１全体における透過率を均一にするためには、進路変更部２１５ａの配置を適宜最適化することが望ましい。なお、導光層２１４は、励起光の面光源として捉えることができるので、従来公知の面光源装置と同様な構成を進路変更部２１５ａの具体的な構成として適宜利用することができる。例えば、進路変更部２１５ａに代えて、光拡散粒子を導光層１４内に含めるようにしてもよい。
【０１５８】
本実施形態のような進路変更部２１５ａの形態の場合には、進路変更部２１５ａの溝の深さを場所によって変えることにより、励起光の出射光量の分布を均一化することができる。具体的には、励起光源２２０に近い側の進路変更部２１５ａの溝の深さを励起光源２２０から遠い側の進路変更部２１５ａの溝の深さよりも小さくするとよい。なお、複数の進路変更部２１５ａの溝の深さは、導光方向に沿って、進路変更部２１５ａが１個ずつの単位で変化していてもよいし、導光方向に沿って、進路変更部２１５ａ複数個ずつの単位で段階的に変化していてもよい。
なお、進路変更部２１５ａの幅（導光方向の幅）及びその配列ピッチを変えることによっても励起光の出射光量の分布を均一化することが可能である。しかし、進路変更部２１５ａの幅及びその配列ピッチについては、一定とすることが望ましい。これは、進路変更部２１５ａが視認されてしまうことを防止するためである。
【０１５９】
励起光源２２０が励起光を発光すると、フォトクロミック層２１１の透過率が下がり、いわゆる調光作用を発揮することができる。フォトクロミック層２１１の透過率の低下は、励起光源２２０が励起光を発光すると略同時に生じるので、透過率変化の応答速度が速い。また、上述したようにフォトクロミック層２１１は、最大透過率が８０％であり、最小透過率が２０％であるので、液晶等を用いる調光層と比べて透過率のダイナミックレンジが高く、透過時と調光時（透過率の低下時）との差が大きく、利用価値が高い。
また、調光層２１０は、第１遮蔽層２１２及び第２遮蔽層２１３によってフォトクロミック層２１１を挟んで構成されている。よって、フォトクロミック層２１１は、映像光や外来光によって透過率の変化を生じない。また、励起光が調光層２１０から出射されてしまうことも防止できる。
【０１６０】
なお、上記第８実施形態では、励起光源２２０のみを設けたが、例えば、フォトクロミック層２１１の透過率を高める作用を有する光（例えば、可視光）を導光層１４へ入射する光源をさらに設けてもよい。
【０１６１】
（変形形態）
以上説明した実施形態に限定されることなく、種々の変形や変更が可能であって、それらも本発明の範囲内である。
【０１６２】
（１）各実施形態において、断面では、第１斜面１２１ａ（第１の面）及び第２斜面１２１ｂ（第２の面）が直線（第１斜面及び第２斜面が平面）であり、接続面１２１ｃが曲線である例を挙げて説明した。これに限らず、例えば、第１斜面（第１の面）についても断面において曲線、すなわち、第１斜面（第１の面）を曲面としてもよいし、第２斜面（第２の面）についても断面において曲線、すなわち、第２斜面（第２の面）を曲面としてもよい。
【０１６３】
（２）各実施形態において、スクリーン１０の表面や裏面に、傷つき防止を目的としたハードコート層を設けてもよい。ハードコート層は、例えば、スクリーン１０の面に、ハードコート機能を有する紫外線硬化型樹脂（例えば、ウレタンアクリレート等）を塗布する等により、形成される。
また、ハードコート層に限らず、スクリーン１０の使用環境や使用目的等に応じて、スクリーン１０に、例えば、反射防止機能、紫外線吸収機能、防汚機能、帯電防止機能等、適宜必要な機能を有する層を１つ又は複数選択して設けてもよい。さらに、基材層１１の映像源側にタッチパネル層等を設けてもよい。
特に、スクリーン１０の映像源側の表面に反射防止層を設けた場合には、反射層１３で反射した映像光が、映像源側の空気との界面で反射して、背面側から出射して背面側に映像が漏れたように表示されることを防止できる。
【０１６４】
（３）第６実施形態において、第５実施形態のスクリーン１０（第１スクリーン部１０Ａ及び第２スクリーン部１０Ｂ）を重ねて配置する例を挙げて説明した。これに限らず、例えば、第１実施形態のスクリーン１０を重ねて配置してもよい。
【０１６５】
（４）各実施形態において、反射層１３の表面（単位光学形状１２１の表面）の微細な凹凸形状は、その大きさや形状、配列等が不規則である例を示したが、大きさや形状、配列のいずれかが規則性を有していてもよい。
【０１６６】
（５）各実施形態において、映像源ＬＳは、スクリーン１０の画面左右方向の中央であって画面外の下方に位置する例を挙げて説明したが、これに限らず、例えば、スクリーン１０の斜め下側等に配置され、スクリーン１０に対して画面左右方向において斜め方向光から映像光を投射する形態としてもよい。
この場合、単位光学形状１２１の配列方向は、映像源ＬＳの位置に合わせて傾けた形態とする。このような形態とすることにより、映像源ＬＳの位置等を自由に設定することができる。
【０１６７】
（６）各実施形態において、第１斜面１２１ａ及び第２斜面１２１ｂ及び接続面１２１ｃは、微細かつ不規則な凹凸形状が形成されている例を示したが、これに限らず、例えば、第１斜面１２１ａにのみ微細かつ不規則な凹凸形状が形成されている形態としてもよい。
また、反射層１３は、単位光学形状１２１の全面に形成される例を示したが、これに限らず、例えば、第１斜面１２１ａの少なくとも一部に形成される形態としてもよい。
【０１６８】
（７）各実施形態の説明において、映像表示装置１は、室内用のパーテーションに配置される例を主として説明し、第２実施形態及び第３実施形態においては、自動車の窓に配置される例についても例示した。これに限らず、いずれの実施形態についても、例えば、展示会等における映像表示や、店舗等のショーウィンドウ等に適用してもよいし、自動車に限らず各種乗り物（例えば、航空機や、鉄道車両、船舶等）の窓（フロントウインドウ、サイドウインドウ、リアウインドウ等）等に適用してもよい。
【０１６９】
（８）第２実施形態において、調光層２０は、液晶を用いる例を挙げて説明した。これに限らず、例えば、調光層は、液晶以外を用いたものとして、例えば、ＥＣ方式、ＳＰＤ方式、ＰＤＬＣ方式調光フィルム等、電極間の電位差に応じて明暗（透過率）が変化するデバイスであってもよい。
ＥＣ方式（Ｅｌｅｃｔｒｏ  ｃｈｒｏｍｉｃ）を用いた調光フィルムは、一対の電極で調光層（電解質層）を挟んだ構造を有する。電極間の電位差に応じ、酸化還元反応を利用して調光層の色が透明と濃紺との間で変化する。
ＳＰＤ方式（Ｓｕｓｐｅｎｄｅｄ  Ｐａｒｔｉｃｌｅ  Ｄｅｖｉｃｅ）を用いた調光フィルムは、微粒子の配向を利用し、通常濃紺色に着色しているが、電圧を印加すると透明に変化し、電位を切ると元の濃紺色に戻るものであり、電圧によって濃淡を調整できる。
ＰＤＬＣ方式（Ｐｏｌｙｍｅｒ  Ｄｉｓｐｅｒｓｅｄ  Ｌｉｑｕｉｄ  Ｃｒｙｓｔａｌ）を用いた調光フィルムは、液晶層中に特殊なポリマーによるネットワーク構造体を形成させたもので、ポリマーネットワークの作用により、液晶分子の配列が不規則な状態を誘起して光を散乱させる。そして、電圧を印加することで、液晶分子を電界方向に配列させると、光が散乱されず、透明な状態となる。
【０１７０】
（９）各実施形態において、スクリーン１０の単位光学形状１２１は、サーキュラーフレネルレンズ形状に形成される例を説明したが、これに限定されるものでなく、リニアフレネルレンズ形状としてもよい。また、サーキュラーフレネルレンズ形状の光学的中心をスクリーン１０の画面領域外に配置する例を説明したが、これに限定されるものでなく、光学的中心が、スクリーン１０の画面領域内に存在するようにしてもよい。
【０１７１】
（１０）第６実施形態において、第１スクリーン部１０Ａの表示領域と、第２スクリーン部１０Ｂの表示領域とは、スクリーン１００の正面方向から見てスクリーン１００の画面（表示領域）と一致している例を挙げて示したが、これに限らず、例えば、第１スクリーン部１０Ａの表示領域と第２スクリーン部１０Ｂの表示領域とは、一部が重複しており、スクリーン１００の正面方向（Ｚ方向、スクリーン面の法線方向）から見て、その重複する領域の面積は、スクリーン１００の画面（表示領域）の面積の５０％よりも大きい形態としてもよい。このような形態としても、シンチレーションの改善は期待できる。
なお、スクリーン１０の画面に表示される映像のシンチレーションを低減し、良好な映像を表示する観点から、第１スクリーン部の表示領域と第２スクリーン部の表示領域との重複する領域の面積は、スクリーン１００の画面（表示領域）の面積の９０％以上とすることがより好ましい。
【０１７２】
（１１）第６実施形態において、スクリーン１０を２枚積層する例を説明したが、これに限定されるものでなく、３枚以上積層するようにしてもよい。３枚のスクリーンは、それぞれ集光点が一致していてもよいし、相違していてもよい。
【０１７３】
（１２）各実施形態において、映像表示装置１は、映像源ＬＳがプロジェクタであり、スクリーン１０が入射光を拡散反射させる反射層１３を有する例を説明したが、これに限定されるものでなく、映像源がＬＣＤ（Ｌｉｑｕｉｄ  Ｃｒｙｓｔａｌ  Ｄｉｓｐｌａｙ）等のマイクロディスプレイであり、スクリーンが入射光を鏡面反射させる反射層から構成されるいわゆるＨＵＤ（ヘッドアップディスプレイ）のような形態であってもよい。
【０１７４】
（１３）第１実施形態において、単位光学形状１２１の形状によって、単位光学形状１２１の配列方向における光の拡散作用を、配列方向に直交する方向における光の拡散作用よりも大きくする例を挙げて説明した。これに限らず、例えば、単位光学形状１２１の表面に形成される微細な凹凸形状に規則性及び異方性を持たせることによって、光の拡散作用に異方性を付与してもよいし、凹凸を付与する時に反射面を湾曲させてもよい。
【０１７５】
（１４）第１実施形態の変形形態において、図８に示したように、単位光学形状１２１の形状は、谷底部Ｖにおいて曲面が連続し、頂点部Ｔにおいて曲面が不連続である例を例示した。これに限らず、単位光学形状１２１の形状は、様々な変形形態を採用することができる。
図２７は、単位光学形状１２１の変形形態の一例を示す図である。
図２７に示すように頂点部Ｔにおいては曲面が連続しており、谷底部Ｖにおいて曲面が不連続な形態としてもよい。また、図示しないが、頂点部Ｔ及び谷底部Ｖの双方において曲面が連続する形態としてもよい。また、曲面の凸となる向きは、図８に示すように観察者側に凸であってもよいし、図２７に示すように観察者側に凹であってもよい。
【０１７６】
なお、各実施形態及び変形形態は、適宜組み合わせて用いることもできるが、詳細な説明は省略する。また、本発明は以上説明した各実施形態によって限定されることはない。
【符号の説明】
【０１７７】
１      映像表示装置
２      フロントウインドウ
３      内装パネル
４      ハンドル
１０    スクリーン
１０Ａ  第１スクリーン部
１０Ｂ  第２スクリーン部
１１    基材層
１２    第１光学形状層
１３    反射層
１３ａ  反射膜
１４    第２光学形状層
１５    保護層
１７    接合層
２０    調光層
２０Ａ  液晶用第１積層体
２０Ｂ  液晶用第２積層体
２１Ａ、２１Ｂ  基材
２２Ａ、２２Ｂ  透明電極
２３Ａ、２３Ｂ  配向層
２４    ビーズスペーサー
２５    シール材
２６、２７  液晶層
２８    スペーサー
２９Ａ、２９Ｂ  直線偏光板
３０    粘着層
４０    調光層
５０    支持板
６０    光吸収層
５１    接合層
６１    第１ガラス板
６２    第１中間層
６３    第２中間層
６４    第２ガラス板
１００  スクリーン
１２１  単位光学形状
１２１ａ  第１斜面
１２１ｂ  第２斜面
１２１ｃ  接続面
２００  調光部
２１０  調光層
２１０ａ、２１０ｂ  端部
２１１  フォトクロミック層
２１２  第１遮蔽層
２１３  第２遮蔽層
２１４  導光層
２１５  高屈折率層
２１５ａ  進路変更部
２１６  第１低屈折率層
２１７  第２低屈折率層
２２０  励起光源
【図１】
2020173416.tif 000003
【図２】
2020173416.tif 000004
【図３】
2020173416.tif 000005
【図４】
2020173416.tif 000006
【図５】
2020173416.tif 000007
【図６】
2020173416.tif 000008
【図７】
2020173416.tif 000009
【図８】
2020173416.tif 000010
【図９】
2020173416.tif 000011
【図１０】
2020173416.tif 000012
【図１１】
2020173416.tif 000013
【図１２】
2020173416.tif 000014
【図１３】
2020173416.tif 000015
【図１４】
2020173416.tif 000016
【図１５】
2020173416.tif 000017
【図１６】
2020173416.tif 000018
【図１７】
2020173416.tif 000019
【図１８】
2020173416.tif 000020
【図１９】
2020173416.tif 000021
【図２０】
2020173416.tif 000022
【図２１】
2020173416.tif 000023
【図２２】
2020173416.tif 000024
【図２３】
2020173416.tif 000025
【図２４】
2020173416.tif 000026
【図２５】
2020173416.tif 000027
【図２６】
2020173416.tif 000028
【図２７】
2020173416.tif 000029